(57)【要約】  本願は、通信技術の分野、特に、プロファイルダウンロード技術に関する。プロファイルダウンロードの方法において、一次デバイスが、二次デバイスの埋め込み集積回路カード識別子（ＥＩＤ）を取得する段階であって、ＥＩＤは、一次デバイスが移動体事業者サーバからＥＩＤと一致するプロファイルダウンロード情報を取得するために使用される、取得する段階と、移動体事業者サーバからプロファイルダウンロード情報を受信する段階と、二次デバイスにプロファイルダウンロード情報を送信する段階であって、プロファイルダウンロード情報は、二次デバイスがプロファイル管理サーバからプロファイルをダウンロードするために使用され、プロファイルは、ダウンロードの完了後に二次デバイスの埋め込みＵＩＣＣ（ｅＵＩＣＣ）にインストールされる、送信する段階とを行う。本願において提供される解決手段によれば、一次デバイスを使用して二次デバイスのためにプロファイルをダウンロードすることにより、マルチＩＭＳＩシングルＭＳＩＳＤＮサービスを簡便に起動するための技術的解決手段をユーザに提供することができる。
2019532593.tif 000002
【特許請求の範囲】
【請求項１】
汎用集積回路カードＵＩＣＣを有する一次デバイスに適用されるプロファイルダウンロードの方法であって、前記方法は、
二次デバイスの埋め込み集積回路カード識別子（ＥＩＤ）を取得する段階であって、前記ＥＩＤは、前記一次デバイスが移動体事業者サーバから前記ＥＩＤと一致するプロファイルダウンロード情報を取得するために使用される、取得する段階と、
前記移動体事業者サーバから前記プロファイルダウンロード情報を受信する段階と、
前記二次デバイスに前記プロファイルダウンロード情報を送信する段階であって、前記プロファイルダウンロード情報は、前記二次デバイスがプロファイル管理サーバからプロファイルをダウンロードするために使用され、前記プロファイルは、前記ダウンロードの完了後に前記二次デバイスの埋め込みＵＩＣＣ（ｅＵＩＣＣ）にインストールされる、送信する段階と
を備える、方法。
【請求項２】
前記移動体事業者サーバにマルチＩＭＳＩシングルＭＳＩＳＤＮ（ｍｕｌｔｉｐｌｅ  ＩＭＳＩ  ｎｕｍｂｅｒｓ  ｗｉｔｈ  ａ  ｓｉｎｇｌｅ  ＭＳＩＳＤＮ）サービス起動要求を送信する段階を更に備え、
前記マルチＩＭＳＩシングルＭＳＩＳＤＮサービス起動要求は、前記一次デバイスの識別子および前記二次デバイスの識別子を保持し、前記一次デバイスの前記識別子は、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、移動局国際ＩＳＤＮ番号ＭＳＩＳＤＮおよび国際移動体加入者識別ＩＭＳＩのうちの何れか１つを含み、前記二次デバイスの前記識別子は、前記ＥＩＤ、ＭＳＩＳＤＮおよびＩＭＳＩのうちの何れか１つを含む、請求項１に記載の方法。
【請求項３】
前記ＥＩＤは、前記一次デバイスと前記二次デバイスとの間のブルートゥース接続またはＷｉ−Ｆｉ接続を使用して前記一次デバイスにより取得される、請求項１または２に記載の方法。
【請求項４】
移動体通信事業者に対して前記一次デバイスを認証する段階を更に備える、請求項１から３の何れか一項に記載の方法。
【請求項５】
認証方式が、拡張認証プロトコル・加入者識別モジュール／認証と鍵合意ＥＡＰ−ＳＩＭ／ＡＫＡ認証またはＳＭＳ検証コード認証であってよい、請求項４に記載の方法。
【請求項６】
前記二次デバイスとのペアリング処理を実行する段階と、
前記二次デバイスのために前記移動体事業者サーバにプロファイルダウンロード要求を送信する段階であって、前記プロファイルダウンロード要求は、前記ＥＩＤを保持する、送信する段階と
を更に備える、請求項１に記載の方法。
【請求項７】
通信ユニットと、
汎用集積回路カードＵＩＣＣと、
プロセッサと
を備える端末であって、前記プロセッサは、
二次デバイスの埋め込み集積回路カード識別子（ＥＩＤ）を取得することであって、前記ＥＩＤは、一次デバイスが移動体事業者サーバから前記ＥＩＤと一致するプロファイルダウンロード情報を取得するために使用される、取得することと、
前記移動体事業者サーバから前記プロファイルダウンロード情報を受信することと、
前記二次デバイスに前記プロファイルダウンロード情報を送信するように前記通信ユニットを制御することであって、前記プロファイルダウンロード情報は、前記二次デバイスがプロファイル管理サーバからプロファイルをダウンロードするために使用され、前記プロファイルは、前記ダウンロードの完了後に前記二次デバイスの埋め込みＵＩＣＣ（ｅＵＩＣＣ）にインストールされる、制御することと
を行うように構成される、端末。
【請求項８】
前記プロセッサは更に、前記移動体事業者サーバにマルチＩＭＳＩシングルＭＳＩＳＤＮ（ｍｕｌｔｉｐｌｅ  ＩＭＳＩ  ｎｕｍｂｅｒｓ  ｗｉｔｈ  ａ  ｓｉｎｇｌｅ  ＭＳＩＳＤＮ）サービス起動要求を送信するように構成され、
前記マルチＩＭＳＩシングルＭＳＩＳＤＮサービス起動要求は、前記一次デバイスの識別子および前記二次デバイスの識別子を保持し、前記一次デバイスの前記識別子は、集積回路カード識別（Ｉｎｔｅｇｒａｔｅ  Ｃｉｒｃｕｉｔ  Ｃａｒｄ  Ｉｄｅｎｔｉｔｙ、ＩＣＣＩＤ）、移動局国際ＩＳＤＮ番号ＭＳＩＳＤＮおよび国際移動体加入者識別ＩＭＳＩのうちの何れか１つを含み、前記二次デバイスの前記識別子は、前記ＥＩＤ、ＭＳＩＳＤＮおよびＩＭＳＩのうちの何れか１つを含む、請求項７に記載の端末。
【請求項９】
前記ＥＩＤは、前記端末と前記二次デバイスとの間のブルートゥース接続またはＷｉ−Ｆｉ接続を使用して前記端末により取得される、請求項７または８に記載の端末。
【請求項１０】
前記プロセッサは更に、移動体通信事業者に対して前記端末を認証するように構成される、請求項７から９の何れか一項に記載の端末。
【請求項１１】
認証方式が、拡張認証プロトコル・加入者識別モジュール／認証と鍵合意ＥＡＰ−ＳＩＭ／ＡＫＡ認証またはＳＭＳ検証コード認証であってよい、請求項１０に記載の端末。
【請求項１２】
前記プロセッサは更に、
前記二次デバイスとのペアリング処理を実行することと、
前記二次デバイスのために前記移動体事業者サーバにプロファイルダウンロード要求を送信することであって、前記プロファイルダウンロード要求は、前記ＥＩＤを保持する、送信することと
を行うように構成される、請求項７に記載の端末。
【請求項１３】
汎用集積回路カードＵＩＣＣおよび埋め込みＵＩＣＣ（ｅＵＩＣＣ）を有する電子デバイスに適用されるプロファイルダウンロードの方法であって、
前記ＵＩＣＣに基づいて移動体事業者ネットワークに対して前記電子デバイスを認証する段階と、
前記移動体事業者ネットワークから認証完了情報を受信する段階と、
前記認証完了情報に基づいて前記移動体事業者ネットワークに前記ｅＵＩＣＣの埋め込み集積回路カード識別子（ＥＩＤ）を送信する段階であって、前記ＥＩＤは、前記電子デバイスが前記移動体事業者ネットワークのサーバから前記ＥＩＤと一致するプロファイルダウンロード情報を取得するために使用される、送信する段階と、
前記移動体事業者ネットワークの前記サーバから前記プロファイルダウンロード情報を受信する段階と、
前記プロファイルダウンロード情報に従ってプロファイル管理サーバからプロファイルをダウンロードする段階であって、前記プロファイルは、前記ダウンロードの完了後に前記電子デバイスの前記ｅＵＩＣＣにインストールされる、ダウンロードする段階と
を備える方法。
【請求項１４】
認証方式が、拡張認証プロトコル・加入者識別モジュール／認証と鍵合意ＥＡＰ−ＳＩＭ／ＡＫＡ認証またはＳＭＳ検証コード認証であってよい、請求項１３に記載の方法。
【請求項１５】
通信ユニットと、
汎用集積回路カードＵＩＣＣと、
埋め込みＵＩＣＣ（ｅＵＩＣＣ）と、
プロセッサと
を備える端末であって、前記プロセッサは、
前記ＵＩＣＣに基づいて移動体事業者ネットワークに対して前記電子デバイスを認証することと、
前記移動体事業者ネットワークから認証完了情報を取得することと、
前記認証完了情報に基づいて、前記移動体事業者ネットワークに前記ｅＵＩＣＣの埋め込み集積回路カード識別子（ＥＩＤ）を送信するように前記通信ユニットを制御することであって、前記ＥＩＤは、前記電子デバイスが前記移動体事業者ネットワークのサーバから前記ＥＩＤと一致するプロファイルダウンロード情報を取得するために使用される、制御することと、
前記移動体事業者ネットワークの前記サーバから前記プロファイルダウンロード情報を取得することと、
前記プロファイルダウンロード情報に従ってプロファイル管理サーバからプロファイルをダウンロードすることであって、前記プロファイルは、前記ダウンロードの完了後に前記電子デバイスの前記ｅＵＩＣＣにインストールされる、ダウンロードすることと
を行うように構成される、端末。
【請求項１６】
認証方式が、拡張認証プロトコル・加入者識別モジュール／認証と鍵合意ＥＡＰ−ＳＩＭ／ＡＫＡ認証またはＳＭＳ検証コード認証であってよい、請求項１５に記載の端末。
【発明の詳細な説明】
【技術分野】
【０００１】
本願は、２０１６年１１月９日に中国特許庁に出願された「ＰＲＯＦＩＬＥ  ＤＯＷＮＬＯＡＤ  ＭＥＴＨＯＤ  ＡＮＤ  ＤＥＶＩＣＥ」と題する国際特許出願第ＰＣＴ／ＣＮ２０１６／１０５２３７号への優先権を主張するものであり、本願は、２０１６年１０月３１日に中国特許庁に出願された中国特許出願第２０１６１０９２８９７７．９号への優先権を主張するものでもある。これらは全体が参照によって本明細書に組み込まれる。
【０００２】
本願の実施形態は、通信技術の分野、より具体的には、プロファイルダウンロードの方法およびデバイスに関する。
【背景技術】
【０００３】
現在、取り外し可能な汎用集積回路カード（ＵＩＣＣ）は、移動体通信事業者（ＭＮＯ）によって提供されるサービスを操作し、かつ、当該サービスにアクセスする、ほとんどのモバイルデバイス用に構成される。ＭＮＯは概して、ＵＩＣＣカードを使用するユーザ端末の各々に１つの加入者識別番号を割り当てる。すなわち、１つの加入者識別番号が１つのユーザ端末に対応している。しかしながら、技術の進歩に伴い、個々のユーザが保持するユーザ端末の数が増え続けている。特に、埋め込みＵＩＣＣ（ｅＵＩＣＣ）デバイスの増加に伴い、１つの加入者識別番号を１人のユーザの２つまたはそれより多くのユーザ端末で共有すること（すなわち、マルチＩＭＳＩシングルＭＳＩＳＤＮ（ｍｕｌｔｉｐｌｅ  ＩＭＳＩ  ｎｕｍｂｅｒｓ  ｗｉｔｈ  ａ  ｓｉｎｇｌｅ  ＭＳＩＳＤＮ）サービス）に対する需要が高まり続けている。
【０００４】
マルチＩＭＳＩシングルＭＳＩＳＤＮサービスを操作するとき、顧客は大抵ＭＮＯカスタマーサービスセンタに行ってサービス申し込みを提出する必要があり、販売員は顧客の申し込みに従ってマルチＩＭＳＩシングルＭＳＩＳＤＮサービスを起動する。このように、顧客は、カスタマーサービスセンタでの操作に時間とエネルギーを費やす必要がある。その結果、顧客体験が低下し、ＭＮＯサービスの推進が影響を受ける。
【０００５】
ｅＵＩＣＣを使用するデバイスのためにマルチＩＭＳＩシングルＭＳＩＳＤＮサービスを起動する必要がある場合、顧客は、カスタマーサービスセンタに行ってクイックレスポンスコードをスキャンすることにより、ＭＮＯネットワークからＭＮＯネットワークのプロファイル（ｐｒｏｆｉｌｅ）をダウンロードする必要がある。プロファイルは、デバイスユーザが加入しているＭＮＯの加入者情報のソフトウェア式パケットであってよい。マルチＩＭＳＩシングルＭＳＩＳＤＮサービスを起動するために、ユーザは、マルチＩＭＳＩシングルＭＳＩＳＤＮサービスの加入書類をその場で確認して署名する必要がある。このように、カスタマーサービスセンタは、クイックレスポンスコードをスキャンするためのデバイスを追加する必要があるだけでなく、マルチＩＭＳＩシングルＭＳＩＳＤＮサービスをプロビジョニングする手順において販売員を訓練する必要もある。カスタマーサービスセンタの数が多いことから、事業者の財務費用およびスタッフ訓練費用は高い。
【０００６】
従って、ユーザ／事業者の費用を減らすためにプロファイルのダウンロードおよびマルチＩＭＳＩシングルＭＳＩＳＤＮサービス起動を簡便に行う技術をいかにして提供するかが、当業者によって早急に解決されるべき技術的課題である。
【発明の概要】
【０００７】
本明細書では、プロファイルのダウンロードおよびマルチＩＭＳＩシングルＭＳＩＳＤＮサービス起動の利便性を高めることによりユーザ／事業者の費用を減らすために、プロファイルダウンロードの方法およびデバイスについて説明する。
【０００８】
第１態様によれば、本願のある実施形態がプロファイルダウンロードの方法を提供する。プロファイルダウンロードの方法は、集積回路カードＵＩＣＣを有する一次デバイスに適用されてよい。一次デバイスは、二次デバイスのためにプロファイルダウンロード情報を申し込んでよい。方法は、二次デバイスの埋め込み集積回路カード識別子（ＥＩＤ）を取得する段階であって、ＥＩＤは、一次デバイスが移動体事業者サーバからＥＩＤと一致するプロファイルダウンロード情報を取得するために使用される、取得する段階と、移動体事業者サーバからＥＩＤと一致するプロファイルダウンロード情報を受信する段階と、二次デバイスにプロファイルダウンロード情報を送信する段階であって、プロファイルダウンロード情報は、二次デバイスがプロファイル管理サーバからプロファイルをダウンロードするために使用され、プロファイルは、ダウンロードの完了後に二次デバイスの埋め込みＵＩＣＣ（ｅＵＩＣＣ）にインストールされる、送信する段階とを含む。
【０００９】
一次デバイスのために移動体通信事業者（ＭＮＯ）のネットワークサービスを起動するとき、ユーザは、ＵＩＣＣの購入、および、対応するパッケージの起動を実名登録で行うことにより、ＭＮＯのネットワークおよびアプリケーションサービスを使用する必要がある。ユーザが購入する二次デバイスはｅＵＩＣＣを使用しており、ユーザはカスタマーサービスセンタに行くこと、および、クイックレスポンスコードをスキャンしてＭＮＯネットワークから事業者ネットワークのプロファイルをダウンロードすることを望まない。第１態様における方法を使用することによって、二次デバイスは、一次デバイスを使用してプロファイルダウンロードを完了することにより、ユーザ操作を楽にすることができる。
【００１０】
考えられるある設計において、二次デバイスのプロファイルがダウンロードおよびインストールされた後、一次デバイスは更に、ＭＮＯにマルチＩＭＳＩシングルＭＳＩＳＤＮサービスを申し込んでよい。すなわち、１つの移動局国際ＩＳＤＮ番号ＭＳＩＳＤＮが複数のデバイスの国際移動体加入者識別ＩＭＳＩに対応している。一次デバイスは、移動体事業者サーバにマルチＩＭＳＩシングルＭＳＩＳＤＮサービス起動要求を送信する。ここで、マルチＩＭＳＩシングルＭＳＩＳＤＮサービス起動要求は、一次デバイスの識別子および二次デバイスの識別子を保持し、一次デバイスの識別子は、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、移動局国際ＩＳＤＮ番号ＭＳＩＳＤＮおよび国際移動体加入者識別ＩＭＳＩのうちの何れか１つを含み、二次デバイスの識別子は、ＥＩＤ、ＭＳＩＳＤＮおよびＩＭＳＩのうちの何れか１つを含む。
【００１１】
考えられるある設計において、一次デバイスは、二次デバイスのためにＭＮＯにプロファイルダウンロード情報を申し込むとき、マルチＩＭＳＩシングルＭＳＩＳＤＮサービス起動を要求してよい。一次デバイスは、移動体事業者サーバに一次デバイスのＥＩＤおよび識別子（ＩＣＣＩＤ、ＭＳＩＳＤＮまたはＩＭＳＩ）を送信し、移動体事業者サーバは、一次デバイスおよび二次デバイスのためにマルチＩＭＳＩシングルＭＳＩＳＤＮサービスを登録および起動する。
【００１２】
考えられるある設計において、二次デバイスのためにプロファイルダウンロード情報を申し込むために、一次デバイスは、ウェブページを使用して契約への署名、および、ＭＮＯのサービス規約への同意を行う必要がある。
【００１３】
考えられるある設計において、一次デバイスは、一次デバイスと二次デバイスとの間のブルートゥース（登録商標）接続またはＷｉ−Ｆｉ接続を使用して二次デバイスのＥＩＤを取得する。
【００１４】
考えられるある設計において、一次デバイスは、移動体通信事業者によって認証される必要がある。認証方式は、拡張認証プロトコル・加入者識別モジュール／認証と鍵合意ＥＡＰ−ＳＩＭ／ＡＫＡ認証またはＳＭＳ検証コード認証であってよい。一次デバイスの認証後、移動体通信事業者サーバは、プロファイル管理サーバにＥＩＤを送信し、プロファイルおよびプロファイルダウンロード情報を作成するようプロファイル管理サーバに命令する。
【００１５】
考えられるある設計において、一次デバイスは更に、ＭＮＯにマルチＩＭＳＩシングルＭＳＩＳＤＮサービスのバインド解除要求、すなわち、一次デバイスと二次デバイスとの間をバインドするマルチＩＭＳＩシングルＭＳＩＳＤＮサービスのバインド解除を申し込んでよく、一次デバイスと二次デバイスとの間のＦＡサービスまたはＭＡＨサービスをキャンセルしてよい。二次デバイスは、プロファイル管理サーバにプロファイルリソースの除去、および、二次デバイスのｅＵＩＣＣにあるプロファイルの削除を要求してよい。
【００１６】
考えられるある設計において、一次デバイスは、二次デバイスとのペアリング処理を実行し、二次デバイスのために移動体事業者サーバにプロファイルダウンロード要求を送信する。プロファイルダウンロード要求は次に、移動体事業者サーバによってプロファイル管理サーバに送信され、プロファイル管理サーバは、プロファイルダウンロード情報およびプロファイルを作成する。一次デバイスはＵＩＣＣデバイスであり、プロファイル管理サーバに直接アクセスすることができない。そのため、プロファイルダウンロード要求は、移動体事業者サーバを使用してプロファイル管理サーバに送信される必要がある。
【００１７】
別の態様によれば、本願のある実施形態が端末を提供する。端末は、上述の方法設計において一次デバイスを実装する機能を有する。機能は、ハードウェアで実装されてもよいし、対応するソフトウェアをハードウェアで実行することにより実装されてもよい。ハードウェアまたはソフトウェアは、上述の機能に対応する１つまたは複数のモジュールを含む。モジュールは、ソフトウェアおよび／またはハードウェアであってよい。
【００１８】
考えられるある設計において、端末は、通信ユニット、汎用集積回路カードＵＩＣＣおよびプロセッサを含む。プロセッサは、デバイスが上述の方法設計において対応する機能を実行するのを支援するように構成される。デバイスはメモリを含んでよい。メモリは、プロセッサに結合されるように構成され、プロセッサに必要なプログラム命令およびデータを記憶する。
【００１９】
尚も別の態様によれば、本願のある実施形態が、上述のデバイスによって使用されるコンピュータソフトウェア命令を記憶するように構成されているコンピュータ記憶媒体を提供する。コンピュータ記憶媒体は、上述の態様を実行するように設計されているプログラムを含む。
【００２０】
更に別の態様によれば、本願のある実施形態が別のデバイスを提供する。デバイスは、埋め込み集積回路カードｅＵＩＣＣおよびプロセッサを含む。プロセッサは、一次デバイスにＥＩＤを送信し、一次デバイスからＥＩＤと一致するプロファイルダウンロード情報を受信し、かつ、当該プロファイルダウンロード情報に従ってプロファイル管理サーバからプロファイルをダウンロードするように構成される。ここで、プロファイルは、ダウンロードの完了後にｅＵＩＣＣにインストールされる。
【００２１】
尚も更に別の態様によれば、本願のある実施形態が別の端末を提供する。端末は、集積回路カードＵＩＣＣおよびプロセッサを含む。プロセッサは、二次デバイスの識別子を取得することであって、二次デバイスの識別子は、ＩＣＣＩＤ、ＭＳＩＳＤＮおよびＩＭＳＩのうちの何れか１つを含み、二次デバイスは、ＵＩＣＣを有する、取得することと、移動体事業者サーバにマルチＩＭＳＩシングルＭＳＩＳＤＮサービス要求を送信することであって、マルチＩＭＳＩシングルＭＳＩＳＤＮサービス要求は、端末の識別子および二次デバイスの識別子を保持し、一次デバイスの識別子は、ＩＣＣＩＤ、ＭＳＩＳＤＮおよびＩＭＳＩのうちの何れか１つを含む、送信することと、移動体事業者サーバからマルチＩＭＳＩシングルＭＳＩＳＤＮサービス起動結果を受信することとを行うように構成される。
【００２２】
更なる態様によれば、本願のある実施形態がプロファイルダウンロードの方法を提供する。プロファイルダウンロードの方法は、汎用集積回路カードＵＩＣＣおよび埋め込みＵＩＣＣ（ｅＵＩＣＣ）を有する電子デバイスに適用される。方法は、ＵＩＣＣに基づいて移動体事業者ネットワークに対して電子デバイスを認証する段階と、移動体事業者ネットワークから認証完了情報を受信する段階と、当該認証完了情報に基づいて移動体事業者ネットワークにｅＵＩＣＣの埋め込み集積回路カード識別子（ＥＩＤ）を送信する段階であって、ＥＩＤは、電子デバイスが移動体事業者ネットワークのサーバからＥＩＤと一致するプロファイルダウンロード情報を取得するために使用される、送信する段階と、移動体事業者ネットワークのサーバからプロファイルダウンロード情報を受信する段階と、当該プロファイルダウンロード情報に従ってプロファイル管理サーバからプロファイルをダウンロードする段階であって、プロファイルは、ダウンロードの完了後に電子デバイスのｅＵＩＣＣにインストールされる、ダウンロードする段階とを含む。
【００２３】
考えられるある設計において、認証方式は、拡張認証プロトコル・加入者識別モジュール／認証と鍵合意ＥＡＰ−ＳＩＭ／ＡＫＡ認証またはＳＭＳ検証コード認証であってよい。
【００２４】
このように、ＵＩＣＣおよびｅＵＩＣＣの両方を有する電子デバイスの場合、ＵＩＣＣは、ユーザの有効性を検証し、かつ、ｅＵＩＣＣのためにｅＵＩＣＣプロファイルをダウンロードするのに使用されてよい。
【００２５】
尚も更なる態様によれば、本願のある実施形態が別の端末を提供する。端末は、通信ユニット、汎用集積回路カードＵＩＣＣ、埋め込みＵＩＣＣ（ｅＵＩＣＣ）およびプロセッサを含む。プロセッサは、ＵＩＣＣに基づいて移動体事業者ネットワークに対して電子デバイスを認証することと、移動体事業者ネットワークから認証完了情報を取得することと、当該認証完了情報に基づいて、移動体事業者ネットワークにｅＵＩＣＣの埋め込み集積回路カード識別子（ＥＩＤ）を送信するように通信ユニットを制御することであって、ＥＩＤは、電子デバイスが移動体事業者ネットワークのサーバからＥＩＤと一致するプロファイルダウンロード情報を取得するために使用される、制御することと、移動体事業者ネットワークのサーバからプロファイルダウンロード情報を取得することと、当該プロファイルダウンロード情報に従ってプロファイル管理サーバからプロファイルをダウンロードすることであって、プロファイルは、ダウンロードの完了後に電子デバイスのｅＵＩＣＣにインストールされる、ダウンロードすることとを行うように構成される。
【００２６】
考えられるある設計において、認証方式は、拡張認証プロトコル・加入者識別モジュール／認証と鍵合意ＥＡＰ−ＳＩＭ／ＡＫＡ認証またはＳＭＳ検証コード認証であってよい。
【００２７】
一層更なる態様によれば、本願のある実施形態がプロファイルダウンロードの方法を提供する。プロファイルダウンロードの方法は、第２デバイスが移動体事業者ネットワークのサーバにプロファイル取得要求を送信する段階であって、プロファイル取得要求は、第２デバイスの埋め込み集積回路カード識別子（ＥＩＤ）および第１デバイスの移動局国際ＩＳＤＮ番号ＭＳＩＳＤＮを保持し、ＥＩＤは、第２デバイスが移動体事業者ネットワークのサーバからＥＩＤと一致するプロファイルダウンロード情報を取得するために使用される、送信する段階と、第２デバイスが移動体事業者ネットワークのサーバに検証コードを送信する段階であって、検証コードは、第１デバイスによって受信される検証コードである（例えば、ユーザは、第２デバイスを使用して、第１デバイスによって受信される検証コードを手動で入力してもよいし、ユーザは、第２デバイスを使用して、短距離通信（例えば、ＮＦＣ）で、または、クイックレスポンスコードをスキャンする形で、第１デバイスによって受信される検証コードを取得してもよい）、送信する段階と、第２デバイスが移動体事業者サーバからプロファイルダウンロード情報を受信する段階と、第２デバイスが当該プロファイルダウンロード情報に従ってプロファイル管理サーバからプロファイルをダウンロードする段階であって、プロファイルは、ダウンロードの完了後に第２デバイスの埋め込みＵＩＣＣ（ｅＵＩＣＣ）にインストールされる、ダウンロードする段階とを含む。
【００２８】
考えられるある設計において、認証方式は、拡張認証プロトコル・加入者識別モジュール／認証と鍵合意ＥＡＰ−ＳＩＭ／ＡＫＡ認証またはＳＭＳ検証コード認証であってよい。
【００２９】
このように、ユーザが２つの電子デバイスを有する場合、第１デバイスは、ユーザの有効性を検証し、かつ、第２デバイスのためにｅＵＩＣＣプロファイルをダウンロードするのに使用されてよい。
【００３０】
尚も一層更なる態様によれば、本願のある実施形態が別の端末を提供する。端末は、通信ユニット、埋め込みＵＩＣＣ（ｅＵＩＣＣ）およびプロセッサを含む。プロセッサは、移動体事業者ネットワークのサーバにプロファイル取得要求を送信するように通信ユニットを制御することであって、プロファイル取得要求は、端末の埋め込み集積回路カード識別子（ＥＩＤ）および第１デバイスの移動局国際ＩＳＤＮ番号ＭＳＩＳＤＮを保持し、ＥＩＤは、端末が移動体事業者ネットワークのサーバからＥＩＤと一致するプロファイルダウンロード情報を取得するために使用される、制御することと、移動体事業者ネットワークのサーバに検証コードを送信するように通信ユニットを制御することであって、検証コードは、第１デバイスによって受信される検証コードである、制御することと、移動体事業者サーバからプロファイルダウンロード情報を取得することと、当該プロファイルダウンロード情報に従ってプロファイル管理サーバからプロファイルをダウンロードすることであって、プロファイルは、ダウンロードの完了後に端末の埋め込みＵＩＣＣ（ｅＵＩＣＣ）にインストールされる、ダウンロードすることとを行うように構成される。
【００３１】
考えられるある設計において、認証方式は、拡張認証プロトコル・加入者識別モジュール／認証と鍵合意ＥＡＰ−ＳＩＭ／ＡＫＡ認証またはＳＭＳ検証コード認証であってよい。
【００３２】
先行技術と比べて、本願において提供される解決手段では、プロファイルダウンロードの利便性およびマルチＩＭＳＩシングルＭＳＩＳＤＮサービス起動の利便性が高まり得る。
【図面の簡単な説明】
【００３３】
本願の実施形態における技術的解決手段をより明確に説明すべく、以下では実施形態または先行技術を説明するのに必要な添付図面を簡単に説明する。明らかに、以下の説明における添付図面は、本願の実施形態を幾つか示しているに過ぎず、当業者であれば、創造的努力をせずともこれらの添付図面から他の図面を導出することができる。
【００３４】
【図１】本願のある実施形態に係るプロファイルダウンロードシステムの概略図である。
【００３５】
【図２】本願の別の実施形態に係るプロファイルダウンロードシステムの概略図である。
【００３６】
【図３】本願の尚も別の実施形態に係るプロファイルダウンロードシステムの概略図である。
【００３７】
【図４】本願のある実施形態に係るプロファイルダウンロードの方法の概略図である。
【００３８】
【図５】本願の別の実施形態に係るプロファイルダウンロードの方法の概略図である。
【００３９】
【図６Ａ】本願の別の実施形態に係るプロファイルダウンロードの方法の概略図である。
【図６Ｂ】本願の別の実施形態に係るプロファイルダウンロードの方法の概略図である。
【図６Ｃ】本願の別の実施形態に係るプロファイルダウンロードの方法の概略図である。
【００４０】
【図７】本願のある実施形態に係る端末のコンポーネントブロック図である。
【００４１】
【図８】本願の別の実施形態に係るデバイスのコンポーネントブロック図である。
【００４２】
【図９】本願のある実施形態に係るプロファイルダウンロードの方法で第１デバイスが実行する操作のフローチャートである。
【００４３】
【図１０】本願のある実施形態に係るプロファイルダウンロードの方法で第２デバイスが実行する操作のフローチャートである。
【００４４】
【図１１】本願のある実施形態に係るマルチＩＭＳＩシングルＭＳＩＳＤＮサービス起動方法のフローチャートである。
【００４５】
【図１２Ａ】本願の別の実施形態に係るマルチＩＭＳＩシングルＭＳＩＳＤＮサービス起動方法の概略図である。
【図１２Ｂ】本願の別の実施形態に係るマルチＩＭＳＩシングルＭＳＩＳＤＮサービス起動方法の概略図である。
【００４６】
【図１３】本願のある実施形態に係るマルチＩＭＳＩシングルＭＳＩＳＤＮサービスのバインド解除方法のフローチャートである。
【００４７】
【図１４】本願の別の実施形態に係るプロファイルダウンロードの方法のフローチャートである。
【００４８】
【図１５】本願の別の実施形態に係るプロファイルダウンロードの方法の概略図である。
【００４９】
【図１６】本願の別の実施形態に係るプロファイルダウンロードの方法の概略図である。
【００５０】
【図１７】本願の別の実施形態に係るプロファイルダウンロードの方法の概略図である。
【発明を実施するための形態】
【００５１】
以下では、本願の実施形態における添付図面を参照しながら、本願の実施形態における技術的解決手段を明確かつ完全に説明する。本願の実施形態において提供されるプロファイルダウンロードの方法およびデバイスは、プロファイルダウンロードおよびマルチＩＭＳＩシングルＭＳＩＳＤＮサービス起動などのサービスをデバイスに提供するために、セルラフォン、ＰＤＡ（パーソナルデジタルアシスタント）、２Ｇ／３Ｇ／４Ｇ／５Ｇ端末またはＷＬＡＮ（無線ローカルエリアネットワーク）端末などの任意の移動端末に適用されてよい。
【００５２】
本願の説明において、「第１」、「第２」および「第３」などの用語は、説明を目的として使用されているに過ぎず、一次と二次との関係を示すとは理解され得ないため、本願を限定するものとは解釈され得ないことを理解されたい。
【００５３】
マルチＩＭＳＩシングルＭＳＩＳＤＮサービスは、１つの移動局国際ＩＳＤＮ番号（ＭＳＩＳＤＮ：Ｍｏｂｉｌｅ  Ｓｔａｔｉｏｎ  Ｉｎｔｅｒｎａｔｉｏｎａｌ  ＩＳＤＮ  Ｎｕｍｂｅｒ）が複数の国際移動体加入者識別（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）番号に対応しているサービス、すなわち、複数の移動端末が異なるＳＩＭカードを使用してよいが、１つのＭＳＩＳＤＮ番号を共有するサービスである。これらの移動端末が着信側として機能するとき、移動端末のサービス手順が２つの手順、すなわち、モバイルアクセスハンティング（Ｍｏｂｉｌｅ  Ａｃｃｅｓｓ  Ｈｕｎｔｉｎｇ、ＭＡＨ）およびフレキシブルアラーティング（Ｆｌｅｘｉｂｌｅ  Ａｌｅｒｔｉｎｇ、ＦＡ）に分類される。
【００５４】
ＦＡ手順：ユーザがＦＡパイロット番号をダイヤルし、システムが全ての着信端末を鳴らす。着信端末のうちの何れか１つが応答するとすぐに、システムはその他の着信端末を鳴らすのを止める。例えば、移動端末Ａの電話番号が移動端末Ｂの携帯電話番号にバインドされ、移動端末Ａの電話番号はＦＡパイロット番号として構成される。ユーザがパイロット番号をダイヤルすると、登録された移動端末ＡおよびＢは同時に鳴る。本明細書において鳴っている移動端末ＡおよびＢは、メンバと呼ばれる。１つのメンバの応答後、その他のメンバは鳴り止む。ＦＡパイロット番号は、ＦＡパイロット番号により誘導されるメンバのメンバ番号であってもよいし、仮想番号であってもよい。
【００５５】
ＭＡＨ手順：ユーザはＭＡＨパイロット番号をダイヤルし、システムはまず、ホームロケーションレジスタ（ＨＬＲ：Ｈｏｍｅ  Ｌｏｃａｔｉｏｎ  Ｒｅｇｉｓｔｅｒ）内の着信ユーザによって設定される、鳴る順番に従って第１着信端末を鳴らす。第１着信端末が接続されていない場合、システムは、１つの着信端末が応答するまで次の着信端末を順次鳴らす。同様に、ＭＡＨパイロット番号は、ＭＡＨパイロット番号により誘導されるメンバのメンバ番号であってもよいし、仮想番号であってもよい。
【００５６】
技術の進歩に伴い、個々のユーザが保持するユーザ端末の数は増え続けている。特に、ウェアラブルデバイス（例えば、スマートウォッチおよびスマートバンド）の増加に伴い、１人のユーザの２つまたはそれより多くのユーザ端末間のマルチＩＭＳＩシングルＭＳＩＳＤＮサービスを起動することに対する需要が高まり続けている。現在、マルチＩＭＳＩシングルＭＳＩＳＤＮサービスを操作するとき、顧客は大抵ＭＮＯカスタマーサービスセンタに行ってサービス申し込みを提出する必要があり、販売員は顧客の申し込みに従ってマルチＩＭＳＩシングルＭＳＩＳＤＮサービスを起動する。これにより、ユーザ／事業者の費用が間違いなく増加する。
【００５７】
小型および携帯性といったウェアラブルデバイスの特徴により、ウェアラブルデバイスを使用する機会が増え始めている。しかしながら、ウェアラブルデバイスが小型であり、かつ、そのハードウェアリソースが限られていることから、ウェアラブルデバイスの機能は比較的シンプルである。現在、市販されているほとんどのウェアラブルデバイスは、生理指標モニタリング、時刻表示、ＳＭＳメッセージ表示およびブルートゥース電話などの機能だけを有する。ｅＵＩＣＣは、従来の取り外し可能なＵＩＣＣに勝る利点を提供し得る。ｅＵＩＣＣは、複数のデバイスがＭＮＯに登録してＭＮＯとやり取りするために使用されるＭＮＯプロファイル（ｐｒｏｆｉｌｅ）を記憶するように構成される。プロファイルは、デバイスユーザが加入しているＭＮＯの加入者情報のソフトウェア式パケット（例えば、ｅＳＩＭ）であってよい。書き換え可能メモリを含み、かつ、従来の取り外し可能な加入者識別モジュールＳＩＭカードと同様の機能を有する電子加入者識別モジュール（ｅＳＩＭ）を提供する、ｅＵＩＣＣもある。ｅＳＩＭは、ＳＩＭカードよりも柔軟性がある。なぜなら、ｅＳＩＭは、ｅＵＩＣＣの書き換え可能メモリに追加することができ、かつ、ｅＵＩＣＣの書き換え可能メモリにおいて修正すること、または、ｅＵＩＣＣの書き換え可能メモリから取り外すことができるからである。従って、ｅＵＩＣＣ技術の出現により、通信サービス、例えば、電話サービス、ＳＭＳ、音声および画像サービス並びにメールサービスにおけるウェアラブルデバイスの適用が大いに拡大する。
【００５８】
スマートフォンおよびスマートウォッチなどのデバイス間のマルチＩＭＳＩシングルＭＳＩＳＤＮサービスを起動することにより、ユーザの複数のデバイス間のＦＡ電話サービスまたはＭＡＨ電話サービスが実装される。これにより、端末の顧客体験が著しく向上し得る。例えば、障害、紛失、置き忘れまたは停電により携帯電話を使用できないときでも、ユーザは、腕時計を使用して着信または発信などの機能を実装することができる。これにより、ユーザの仕事および生活が大いに楽になる。
【００５９】
ｅＵＩＣＣを使用するインテリジェントデバイスのためにマルチＩＭＳＩシングルＭＳＩＳＤＮサービスを起動するには、プロファイルをダウンロードすることが、まず解決すべき課題である。
【００６０】
図１は、本願のある実施形態に係るプロファイルダウンロードシステムの概略図である。
【００６１】
図１を参照すると、プロファイルダウンロードシステムは、第１デバイス（別名：一次デバイス）１０１を含む。第１デバイス１０１は、第１デバイス１０１に挿入することができ、かつ、第１デバイス１０１から取り外すことができる、汎用集積回路カード（ＵＩＣＣ）を備える。ＵＩＣＣは、ネットワークアクセス証明情報、電話帳およびＳＭＳメッセージなど、移動通信加入者の個人情報を記憶する。ＧＳＭ（登録商標）、ＷＣＤＭＡ（登録商標）またはＬＴＥなどの移動体通信ネットワークが接続されると、ＵＩＣＣは、加入者識別およびサービスセキュリティキー作成を実行するので、移動体通信のセキュアな使用が可能になる。ＳＩＭおよびＵＳＩＭなどの通信アプリケーションがＵＩＣＣにインストールされてよく、モバイルクレジットカード、モバイルウォレットまたは電子パスポートなどの他の様々なアプリケーションがＵＩＣＣにインストールされてよい。
【００６２】
第１デバイス１０１は、無線通信回路を有しており、無線ワイドエリアネットワーク（Ｗｉｒｅｌｅｓｓ  Ｗｉｄｅ  Ａｒｅａ  Ｎｅｔｗｏｒｋ、ＷＷＡＮ）プロトコルを使用して無線リンク１２０経由で移動体通信事業者（ＭＮＯ）１０３と通信してよい。ＷＷＡＮプロトコルは、ＧＳＭ／ＧＰＲＳプロトコル、ＣＤＭＡプロトコル、ＥＤＧＥプロトコル、ＥＶ−ＤＯプロトコル、ＥＶ−ＤＶプロトコル、ＨＳＤＰＡプロトコルおよびＬＴＥプロトコルなどを含む。ＭＮＯ１０３は、加入サーバ、認可サーバまたはＢＯＳＳシステムのうちの少なくとも１つを含んでよい。
【００６３】
第１デバイス１０１は、短距離無線通信リンク１１０を使用して第２デバイス１０２と通信してよい。例えば、第１デバイス１０１は、ブルートゥース（Ｂｌｕｅｔｏｏｔｈ（登録商標））、ＺｉｇＢｅｅ（登録商標）またはＷｉ−Ｆｉ（ＩＥＥＥ８０２．１１）プロトコルを使用して第２デバイス１０２と通信してよい。
【００６４】
図１は、複数の第２デバイス（別名：二次デバイス）１０２を含む。例えば、第２デバイス１０２は、スマートウォッチ、スマートリストストラップおよびスマートリングなどを含んでよい。第２デバイス１０２には、ＵＩＣＣに取って代わり、かつ、端末に取り外し不可能に埋め込まれる、埋め込みＵＩＣＣ（ｅＵＩＣＣ）を使用している。ｅＵＩＣＣは、取り外し不可能なセキュアエレメント（Ｓｅｃｕｒｅ  Ｅｌｅｍｅｎｔ、ＳＥ）または取り外し可能なセキュアエレメントのうちの少なくとも一方を含む。セキュアエレメントは、第２デバイス１０２の製造中に第２デバイス１０２に取り外し不可能にインストールされる。そのため、特定の移動体通信事業者のＩＭＳＩまたはＵＳＩＭなどのネットワークアクセス認証情報を端末の製造中に予めインストールすることは不可能である。従って、デバイスを購入するユーザは、特定の事業者にアクセスした後にのみ、係る認証情報を確立することができる。例えば、プロファイル（ｐｒｏｆｉｌｅ）がＯＴＡ（無線）技術を使用してダウンロードされてよく、ｅＵＩＣＣにインストールされてよい。
【００６５】
加えて、特定の移動体通信事業者のために製造および着手されるに過ぎない典型的なＵＩＣＣとは対照的に、端末に埋め込まれる、新たに導入されたｅＵＩＣＣは、ユーザが特定の移動体通信事業者にアクセスするか、特定の移動体通信事業者を脱退する際、または、別の事業者に変更する際、様々な移動体通信事業者の認証情報をセキュアかつ柔軟にインストールおよび管理するはずである。
【００６６】
ユーザの第１デバイス１０１は、ＭＮＯ１０３のネットワークに既にアクセスしており（例えば、ＭＮＯ１０３のＵＩＣＣの購入および３Ｇ／４Ｇパッケージの起動を実名登録で既に行っており）、ＭＮＯ１０３のネットワークおよびアプリケーションサービスを使用してよい。ユーザが購入する第２デバイス１０２は、ｅＵＩＣＣを使用しており、ユーザはカスタマーサービスセンタに行くこと、および、クイックレスポンスコードをスキャンしてＭＮＯ１０３のネットワークから事業者ネットワークのプロファイルをダウンロードすることを望まない。ユーザの第１デバイス１０１は、既にＭＮＯ１０３の顧客であり、ＭＮＯ１０３のネットワークおよびアプリケーションサービスを使用することができる。従って、ユーザは、第１デバイス１０１を使用して第２デバイス１０２のためにプロファイルダウンロードの申し込みおよびマルチＩＭＳＩシングルＭＳＩＳＤＮサービスの起動を行うことにより、ユーザの第１デバイス１０１と第２デバイス１０２との間のＦＡ電話サービスまたはＭＡＨ電話サービスを実装することを望む。
【００６７】
図２は、本願の別の実施形態に係るプロファイルダウンロードシステムの概略図である。
【００６８】
図２を参照すると、段階１２０において、ユーザの第１デバイス１０１がＭＮＯ１０３のネットワークに既にアクセスしており、ＭＮＯ１０３にプロファイルダウンロード要求を送信する。この場合は、第２デバイス１０２のｅＵＩＣＣがプロファイルをダウンロードしておらず、まずＭＮＯ１０３からプロファイルをダウンロードする必要がある。第１デバイス１０１は、ＭＮＯ１０３に第２デバイス１０２のＥＩＤ（ｅＵＩＣＣ識別子）を送信する。
【００６９】
段階１３０において、ＭＮＯ１０３は、プロファイル管理サーバを使用して第１デバイス１０１にプロファイルダウンロード情報を提供する。プロファイルダウンロード情報は、起動コード（Ａｃｔｉｖａｔｉｏｎ  Ｃｏｄｅ）を含んでよく、起動コードはプロファイルサーバのアドレスを含んでよい。第１デバイス１０１は、短距離無線通信リンク１１０を使用して第２デバイス１０２に起動コードを転送する。ＧＳＭＡの仕様書ＲＳＰ  Ａｒｃｈｉｔｅｃｔｕｒｅ  Ｖｅｒｓｉｏｎ１．０（２０１５年１２月２３日）には、起動コードを使用してプロファイルをダウンロードする特定のプロセスが詳しく記載されている。本明細書では詳細について説明しない。ある実装において、プロファイル管理サーバは、加入マネージャ・データ作成＋（Ｓｕｂｓｃｒｉｐｔｉｏｎ  Ｍａｎａｇｅｒ  Ｄａｔａ  Ｐｒｅｐａｒａｔｉｏｎ、ＳＭ−ＤＰ＋）であってよい。別の実装において、プロファイル管理サーバは、加入マネージャ・データ作成（Ｓｕｂｓｃｒｉｐｔｉｏｎ  Ｍａｎａｇｅｒ  Ｄａｔａ  Ｐｒｅｐａｒａｔｉｏｎ、ＳＭ−ＤＰ）および加入マネージャ・セキュアルーティング（Ｓｕｂｓｃｒｉｐｔｉｏｎ  Ｍａｎａｇｅｒ  Ｓｅｃｕｒｅ  Ｒｏｕｔｉｎｇ、ＳＭ−ＳＲ）を含んでよい。
【００７０】
起動コードは、クイックレスポンスコードであってよい。クイックレスポンスコードは、ユーザが事業者に加入するとき、事業者のプロファイル管理サーバがユーザのために一時的に生成してよい。代替的に、クイックレスポンスコードは、事業者のプロファイル管理サーバが予め生成してもよい。起動コードは、対象プロファイルダウンロードを実現するために必要なダウンロード情報を保持してよく、ユーザは、ユーザ端末を使用してクイックレスポンスコードをスキャンすることによって、プロファイルダウンロード情報を取得してよい。
【００７１】
段階１４０において、第２デバイス１０２は、起動コードをスキャンして、Ｗｉ−Ｆｉネットワークを使用してプロファイル管理サーバからプロファイルをダウンロードする。代替的に、第２デバイス１０２は、第１デバイス１０１を使用して、第１デバイス１０１へのブルートゥース接続でプロファイル管理サーバへ間接的にアクセスしてもよく、プロファイル管理サーバからプロファイルをダウンロードしてもよい。第２デバイス１０２がプロファイル作成を完了した後、第１デバイス１０１は、ＭＮＯ１０３にマルチＩＭＳＩシングルＭＳＩＳＤＮサービス起動要求を再び送信してよい。マルチＩＭＳＩシングルＭＳＩＳＤＮサービス起動要求は、第１デバイス１０１の識別子および第２デバイス１０２の識別子を保持する。第１デバイス１０１の識別子は、第１デバイス１０１の集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、ＭＳＩＳＤＮおよびＩＭＳＩであってよい。第２デバイス１０２の識別子は、第２デバイス１０２のＥＩＤ（ｅＵＩＣＣ識別子）、ＭＳＩＳＤＮおよびＩＭＳＩであってよい。その後、ＭＮＯ１０３は、第１デバイス１０１の識別子および第２デバイス１０２の識別子に従ってマルチＩＭＳＩシングルＭＳＩＳＤＮサービスを起動することにより、ユーザの第１デバイス１０１と第２デバイス１０２との間のＦＡ電話サービスまたはＭＡＨ電話サービスを実装する。
【００７２】
図３は、本願の尚も別の実施形態に係るプロファイルダウンロードシステムの概略図である。
【００７３】
図３を参照すると、プロファイルダウンロードシステムは、第１デバイス１０１および第２デバイス１０２を含む。事業者ネットワーク１０３には、認可サーバ（Ａｕｔｈｏｒｉｚａｔｉｏｎ  Ｓｅｒｖｅｒ、ＡＳ）１０３１、ウェブサーバ（Ｗｅｂ  Ｓｅｒｖｅｒ）１０３２、プロファイル管理サーバ１０３５、ＢＯＳＳシステム１０３４およびショートメッセージセンタ１０３３などが配備される。
【００７４】
ＢＯＳＳはＢｕｓｉｎｅｓｓ＆Ｏｐｅｒａｔｉｏｎ  Ｓｕｐｐｏｒｔ  Ｓｙｓｔｅｍ、すなわち、ビジネス運営支援システムの略語である。概して、ＢＯＳＳシステムは、４つの部分、すなわち、課金決済システム、運営会計システム、顧客サービスシステムおよび決定支援システムに分割される。ＢＯＳＳシステムは、ＭＮＯのサービスシステム、ＣＲＭシステムおよび課金システムを搭載する。
【００７５】
認可サーバ（Ａｕｔｈｏｒｉｚａｔｉｏｎ  Ｓｅｒｖｅｒ、ＡＳ）１０３１は主に、第１デバイス１０１の認証（ａｕｔｈｅｎｔｉｃａｔｉｏｎ）を実行して第１デバイス１０１の有効性を検証するように構成される。認証処理は、グローバルシステム・フォー・モバイルコミュニケーションズ識別認証モジュールに基づく拡張認証プロトコル、および、第３世代移動体通信・認証と鍵合意（Ａｕｔｈｅｎｔｉｃａｔｉｏｎ  Ｐｒｏｔｏｃｏｌ  ｆｏｒ  ３Ｇ  Ａｕｔｈｅｎｔｉｃａｔｉｏｎ  ａｎｄ  Ｋｅｙ  Ａｇｒｅｅｍｅｎｔ、ＥＡＰ−ＡＫＡ）に基づく拡張認証プロトコルをセルラモバイルネットワークで使用することによって実行されてよい。認証処理には、代替的に検証コード方法を使用してもよい。例えば、ＭＮＯは、検証コードをランダムに生成すること、および、ショートメッセージセンタ１０３３を使用して、ユーザの第１デバイス１０１が使用する携帯電話番号にＳＭＳメッセージを送信することにより、ユーザに検証コードを通知する。ユーザは、検証コードを入力して二次検証を実行することにより、加入者識別の正確性を確保する。
【００７６】
ウェブサーバ（Ｗｅｂ  Ｓｅｒｖｅｒ）１０３２は主に、ユーザのネットワーク加入操作を担う。例えば、ウェブサーバ１０３２は、契約したページを第１デバイス１０１に返す。契約したページは、プロファイルのダウンロードまたはマルチＩＭＳＩシングルＭＳＩＳＤＮサービスの起動に関する事業者のサービス規約を含む。契約したページは更に、契約に同意するクリックボックス、および、契約に同意しないクリックボックスを含む。ユーザが契約に同意するクリックボックスをクリックした場合、事業者は、ユーザのためにプロファイルの作成および／またはマルチＩＭＳＩシングルＭＳＩＳＤＮサービスの起動を開始する。
【００７７】
プロファイル管理サーバは、ユーザのためにプロファイルダウンロード情報およびプロファイルを生成する。プロファイル管理サーバは、ＳＭ−ＤＳ、ＳＭ−ＤＰ、ＳＭ−ＳＲまたはＳＭ−ＤＲなどのネットワーク側デバイスのうちの少なくとも１つを含んでよい。
【００７８】
図４は、本願のある実施形態に係るプロファイルダウンロードの方法の概略図である。
【００７９】
図４を参照すると、段階４０１において、第１デバイス１０１が第２デバイス１０２とのブルートゥースペアリング処理を実行し、ペアリング処理は、第１デバイス１０１のＵＩインタフェースを使用して実装されてよい。その後、段階４０２において、第１デバイス１０１と第２デバイス１０２との間にデータを伝送するためのブルートゥース接続が確立され、第１デバイス１０１は、ブルートゥース接続を使用して第２デバイス１０２のＥＩＤ（ｅＵＩＣＣ識別子）を取得してよい。段階４０３において、第１デバイス１０１およびＭＮＯは、認証処理を実行して第１デバイス１０１の有効性を検証する。認証処理には検証コード方法を使用してよい。例えば、ＭＮＯは、検証コードをランダムに生成すること、および、ユーザの第１デバイス１０１が使用する携帯電話番号にＳＭＳメッセージを送信することにより、ユーザに検証コードを通知する。ユーザは、検証コードを入力して二次検証を実行することにより、加入者識別の正確性を確保する。段階４０４における認証処理には、代替的にカードベースのＥＡＰ−ＳＩＭ／ＡＫＡ認証を使用してもよい。第１デバイス１０１は、認証プロトコルに従って認証を完了し、ＭＮＯのネットワークにアクセスする。段階４０４において、第１デバイス１０１は、ＭＮＯにプロファイル取得要求を送信する。ここで、プロファイル取得要求は、第２デバイスのＥＩＤ（ｅＵＩＣＣ識別子）を保持する。段階４０５において、ＭＮＯは、プロファイル管理サーバにＥＩＤを転送する。段階４０５において、ＭＮＯは、プロファイル管理サーバにＥＩＤを転送し、プロファイル管理サーバは、ＥＩＤと一致するプロファイル起動コードを作成し、段階４０６においてＭＮＯに当該起動コードを転送する。段階４０７において、ＭＮＯは、第１デバイス１０１に起動コードを転送する。段階４０８において、第１デバイス１０１は、第２デバイス１０２に起動コードを転送する。段階４０９において、第２デバイス１０２は、Ｗｉ−Ｆｉネットワークを使用すること、または、第１デバイス１０１を使用してプロファイル管理サーバへの接続を確立することによって、プロファイルを取得する。段階４１０において、第１デバイス１０１は、ＭＮＯにマルチＩＭＳＩシングルＭＳＩＳＤＮサービス申し込みを送信する。ここで、マルチＩＭＳＩシングルＭＳＩＳＤＮサービス申し込みは、第１デバイス１０１の識別子および第２デバイス１０２の識別子を保持する。第１デバイス１０１の識別子は、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、ＭＳＩＳＤＮおよびＩＭＳＩであってよい。第２デバイス１０２の識別子は、ＥＩＤ（ｅＵＩＣＣ識別子）、ＭＳＩＳＤＮおよびＩＭＳＩであってよい。その後、ＭＮＯ１０３は、第１デバイス１０１の識別子および第２デバイス１０２の識別子に従ってマルチＩＭＳＩシングルＭＳＩＳＤＮサービスを起動する。このように、第１デバイス１０１のＭＳＩＳＤＮは、第１デバイス１０１のＩＭＳＩおよび第２デバイス１０２のＩＭＳＩに対応していることにより、ユーザの第１デバイス１０１と第２デバイス１０２との間のＦＡ電話サービスまたはＭＡＨ電話サービスを実装してよい。
【００８０】
図４の段階４０３は、段階４０１および段階４０２の前に起こること、すなわち、第１デバイス１０１は、第１デバイス１０１および第２デバイス１０２がペアリングされる前に移動体通信事業者によって認証されることに留意されたい。
【００８１】
ユーザが複数の第２デバイス１０２を有する場合、ユーザは、図４の方法に従って第１デバイス１０１および複数の第２デバイス１０２のためにマルチＩＭＳＩシングルＭＳＩＳＤＮサービスを申し込んでよい。
【００８２】
図５は、本願の別の実施形態に係るプロファイルダウンロードの方法の概略図である。
【００８３】
図５を参照すると、段階５０１から段階５０３は、図４の段階４０１から段階４０３と同様であり、本明細書では詳細について説明しない。段階５０４において、第１デバイス１０１は、ＭＮＯ１０３にマルチＩＭＳＩシングルＭＳＩＳＤＮサービスを申し込むとき、プロファイルダウンロード手順をトリガしてよい。第１デバイス１０１は、第１デバイスの識別子（例えば、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、ＭＳＩＳＤＮおよびＩＭＳＩ）および第２デバイス１０２のＥＩＤをＭＮＯ１０３に提供する。ＭＮＯ１０３は、第１デバイス１０１の識別子および第２デバイス１０２のＥＩＤに従ってマルチＩＭＳＩシングルＭＳＩＳＤＮサービスを起動する。段階５０６から段階５０９は、図４の段階４０６から段階４０９と同様であり、本明細書では詳細について説明しない。段階５０９において、ＭＮＯ１０３は、第１デバイス１０１にマルチＩＭＳＩシングルＭＳＩＳＤＮサービス申し込み結果を通知する。図５の段階５０３は、段階５０１および段階５０２の前に起こってよいこと、すなわち、第１デバイス１０１は、第１デバイス１０１および第２デバイス１０２がペアリングされる前に移動体通信事業者によって認証されることに留意されたい。
【００８４】
図６Ａ、図６Ｂおよび図６Ｃは、本願の別の実施形態に係るプロファイルダウンロードの方法の概略図である。
【００８５】
段階６０１０において、第１デバイス１０１は、認可サーバ（Ａｕｔｈｏｒｉｚａｔｉｏｎ  Ｓｅｒｖｅｒ、ＡＳ）１０３１にプロファイル取得要求を送信する。プロファイル取得要求は、第２デバイス１０２のＥＩＤ（ｅＵＩＣＣ識別子）を保持し、ＥＩＤは、各ｅＵＩＣＣに割り当てられる固有の識別子であり、不変の値である。
【００８６】
段階６０２０において、認可サーバ１０３１は、ユーザが契約に署名していないことを検出し、契約したウェブページ（ｃｏｎｔｒａｃｔｅｄ  ｗｅｂ  ｐａｇｅ）ウェブサイトを第１デバイス１０１に送信する。
【００８７】
段階６０３０において、第１デバイス１０１は、ウェブブラウザを使用して、契約したウェブページを開き、契約したウェブページは、事業者との契約に署名するかどうかについてユーザに入力を促す。例えば、契約条件、契約に同意するクリックボックス、および、契約に同意しないクリックボックスを表示する。第１デバイス１０１は、ユーザの加入結果を取得し、ウェブサーバ１０３２に当該加入結果を送信する。ユーザが契約に同意するクリックボックスをクリックした場合は、ユーザ加入が成功したことを示し、段階６０４０が実行される。ユーザが契約に同意しないクリックボックスをクリックした場合は、ユーザが契約に同意しないことを示し、プロセスが終了する。
【００８８】
段階６０４０において、ＷＳ１０３２は、ＢＯＳＳシステム１０３４にユーザの加入結果を送信する。
【００８９】
段階６０５０において、ＢＯＳＳシステム１０３４は、プロファイルおよびプロファイルダウンロード情報（起動コード）を作成するようプロファイル管理サーバ１０３５に命令する。
【００９０】
段階６０６０において、ＢＯＳＳシステム１０３４は、認可サーバ１０３１に起動コード（Ａｃｔｉｖａｔｉｏｎ  Ｃｏｄｅ）を送信する。
【００９１】
段階６０７０において、認可サーバ１０３１は、第１デバイス１０１に起動コード（Ａｃｔｉｖａｔｉｏｎ  Ｃｏｄｅ）を送信する。
【００９２】
段階６０８０において、第１デバイス１０１は、第２デバイス１０２に起動コードを送信する。
【００９３】
段階６０９０において、第２デバイス１０２は、無線リンクを使用してプロファイル管理サーバ１０３５からプロファイルをダウンロードする。
【００９４】
段階６１００において、第２デバイス１０２は、プロファイルが正常にダウンロードされたことを第１デバイス１０１に通知する。
【００９５】
段階６１１０において、第１デバイス１０１は、認可サーバ（Ａｕｔｈｏｒｉｚａｔｉｏｎ  Ｓｅｒｖｅｒ、ＡＳ）１０３１にマルチＩＭＳＩシングルＭＳＩＳＤＮサービス起動要求を送信する。ここで、要求は、第１デバイス１０１の識別子および第２デバイス１０２の識別子を保持する。第１デバイス１０１の識別子は、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、ＭＳＩＳＤＮおよびＩＭＳＩであってよい。第２デバイス１０２の識別子は、ＥＩＤ（ｅＵＩＣＣ識別子）、ＭＳＩＳＤＮおよびＩＭＳＩであってよい。
【００９６】
段階６１２０は、任意選択的な手順である。オプションとして、認可サーバ（Ａｕｔｈｏｒｉｚａｔｉｏｎ  Ｓｅｒｖｅｒ、ＡＳ）１０３１は、ユーザが二次加入を必要としているかどうかを事業者のＢＯＳＳシステム１０３４から知り、二次加入が必要な場合は、契約したウェブサイトを第１デバイス１０１に送信する。具体的な加入手順については再び説明しない。事業者のサービス要件に従って、事業者は、プロファイルダウンロードプロセスおよびマルチＩＭＳＩシングルＭＳＩＳＤＮサービス起動プロセスを２つの独立した操作にしてよい。これらの２つの操作を起動するために、ユーザは、対応するプロトコルに別々に署名する必要がある。
【００９７】
段階６１３０は、任意選択的な手順である。オプションとして、第２デバイス１０２のＳＭＳ検証コード検証が実行される。認可サーバ（Ａｕｔｈｏｒｉｚａｔｉｏｎ  Ｓｅｒｖｅｒ、ＡＳ）１０３１は、第１デバイス１０２にＳＭＳ検証コードを送信するようショートメッセージセンタ１０３３に命令し、ユーザは、第１デバイス１０１を使用して認可サーバ（Ａｕｔｈｏｒｉｚａｔｉｏｎ  Ｓｅｒｖｅｒ、ＡＳ）１０３１に当該検証コードを送信することにより、第２デバイス１０２の有効性を検証する。
【００９８】
段階６１４０において、認可サーバ１０３１は、第１デバイス１０１および第２デバイス１０２のためにＢＯＳＳシステム１０３４にマルチＩＭＳＩシングルＭＳＩＳＤＮサービスを申し込む。ＢＯＳＳシステム１０３４は、第１デバイス１０１および第２デバイス１０２のマルチＩＭＳＩシングルＭＳＩＳＤＮサービスの処理を担う。この場合、第１デバイス１０１の移動局国際ＩＳＤＮ番号（ＭＳＩＳＤＮ：Ｍｏｂｉｌｅ  Ｓｔａｔｉｏｎ  Ｉｎｔｅｒｎａｔｉｏｎａｌ  ＩＳＤＮ  Ｎｕｍｂｅｒ）は、第１デバイス１０１のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）番号および第２デバイス１０２のＩＭＳＩ番号に対応している。すなわち、第１デバイス１０１および第２デバイス１０２は、１つのＭＳＩＳＤＮ番号を共有してよい。
【００９９】
段階６１５０において、ＢＯＳＳシステム１０３４は、認可サーバ１０３１にマルチＩＭＳＩシングルＭＳＩＳＤＮサービス起動結果を送信する。
【０１００】
段階６１６０において、認可サーバ（Ａｕｔｈｏｒｉｚａｔｉｏｎ  Ｓｅｒｖｅｒ、ＡＳ）１０３１は、第１デバイス１０１にマルチＩＭＳＩシングルＭＳＩＳＤＮサービス起動結果を送信する。
【０１０１】
段階６１７０において、第１デバイス１０１は、第２デバイス１０２にマルチＩＭＳＩシングルＭＳＩＳＤＮサービス起動結果を送信する。
【０１０２】
オプションとして、段階６０１０の前に、第１デバイス１０１は更に、ＭＮＯネットワークによって認証される必要がある。認証には、上述のＥＡＰ−ＳＩＭ／ＡＫＡ認証またはＳＭＳ検証コード認証を使用してよい。
【０１０３】
図７は、本願のある実施形態に係る端末のコンポーネントブロック図である。
【０１０４】
図７は端末７００を示している。端末７００は、プロセッサ７０１、通信ユニット７０２、ＵＩＣＣ７０３およびメモリ７０４を含む。端末７００は、図１から図３の第１デバイス１０１であってよい。通信ユニット７０２は、Ｗｉ−Ｆｉ（ｗｉｒｅｌｅｓｓ  ｆｉｄｅｌｉｔｙ、ワイヤレスフィデリティ）、ブルートゥース（ＢＴ：Ｂｌｕｅｔｏｏｔｈ（登録商標））および近距離無線通信（ＮＦＣ：ｎｅａｒ  ｆｉｅｌｄ  ｃｏｍｍｕｎｉｃａｔｉｏｎ）などの短距離通信プロトコルを支援してもよいし、インターネット（Ｉｎｔｅｒｎｅｔ）、ローカルエリアネットワーク（ＬＡＮ：ｌｏｃａｌ  ａｒｅａ  ｎｅｔｗｏｒｋ）、ワイヤエリアネットワーク（ＷＡＮ：ｗｉｒｅ  ａｒｅａ  ｎｅｔｗｏｒｋ）、遠隔通信ネットワーク（ｔｅｌｅｃｏｍｍｕｎｉｃａｔｉｏｎ  ｎｅｔｗｏｒｋ）、セルラネットワーク（ｃｅｌｌｕｌａｒ  ｎｅｔｗｏｒｋ）および衛星ネットワーク（ｓａｔｅｌｌｉｔｅ  ｎｅｔｗｏｒｋ）などを支援してもよい。通信ユニット７０２は更に、端末７００が別のデバイス（例えば、コンピュータ）に結合されること、および、当該別のデバイスと有線または無線で通信することを可能にする回路を含んでよい。
【０１０５】
プロセッサ７０１は、命令（例えば、タッチスクリーンから取得される命令）、割り込み操作、時間調整および他の機能を実行するように構成される。加えて、プロセッサ７０１は更に、グラフィックス処理ユニット（ｇｒａｐｈｉｃ  ｐｒｏｃｅｓｓｉｎｇ  ｕｎｉｔ）を含んでよい。
【０１０６】
端末７００は更に、プロセッサ７０１または別のコンポーネント（例えば、入力モジュール、表示モジュールまたは通信ユニット）によって受信される、または、プロセッサ７０１または別のコンポーネントによって生成される、命令またはデータを記憶するように構成されているメモリ（不図示）を含んでよい。
【０１０７】
プロセッサ７０１は、二次デバイス（すなわち、本明細書における第２デバイス１０２）の埋め込み集積回路カード識別子（ＥＩＤ）を取得することであって、ＥＩＤは、一次デバイスが移動体事業者サーバからＥＩＤと一致するプロファイルダウンロード情報を取得するために使用される、取得することと、移動体事業者サーバからＥＩＤと一致するプロファイルダウンロード情報を受信することと、二次デバイスにプロファイルダウンロード情報を送信することであって、プロファイルダウンロード情報は、二次デバイスがプロファイル管理サーバからプロファイルをダウンロードするために使用され、プロファイルは、ダウンロードの完了後に二次デバイスの埋め込みＵＩＣＣ（ｅＵＩＣＣ）にインストールされる、送信することとを行うように構成される。
【０１０８】
プロセッサ７０１は更に、図４から図６Ａ、図６Ｂおよび図６Ｃの第１デバイスによって実行される方法で、対応する機能を実行するように構成される。
【０１０９】
プロセッサ７０１は更に、移動体事業者サーバにマルチＩＭＳＩシングルＭＳＩＳＤＮ（ｍｕｌｔｉｐｌｅ  ＩＭＳＩ  ｎｕｍｂｅｒｓ  ｗｉｔｈ  ａ  ｓｉｎｇｌｅ  ＭＳＩＳＤＮ）サービス起動要求を送信するように構成される。ここで、マルチＩＭＳＩシングルＭＳＩＳＤＮサービス起動要求は、一次デバイスの識別子および二次デバイスの識別子を保持し、一次デバイスの識別子は、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、移動局国際ＩＳＤＮ番号ＭＳＩＳＤＮおよび国際移動体加入者識別ＩＭＳＩのうちの何れか１つを含み、二次デバイスの識別子は、ＥＩＤ、ＭＳＩＳＤＮおよびＩＭＳＩのうちの何れか１つを含む。
【０１１０】
ＥＩＤは、端末と二次デバイスとの間のブルートゥース接続またはＷｉ−Ｆｉ接続を使用して端末により取得される。
【０１１１】
プロセッサ７０１は更に、移動体通信事業者に対して端末を認証するように構成される。認証方式は、拡張認証プロトコル・加入者識別モジュール／認証と鍵合意ＥＡＰ−ＳＩＭ／ＡＫＡ認証またはＳＭＳ検証コード認証であってよい。
【０１１２】
プロセッサ７０１は更に、二次デバイスとのペアリング処理を実行し、二次デバイスのために移動体事業者サーバにプロファイルダウンロード要求を送信するように構成される。プロファイルダウンロード要求は、ＥＩＤを保持する。
【０１１３】
二次デバイスは、プロファイルダウンロード情報を受信し、当該プロファイルダウンロード情報に従って、プロファイル管理サーバからプロファイルをダウンロードし、プロファイルをインストールする。端末７００は、端末７００と二次デバイスとの間の接続（例えば、ブルートゥース接続またはＷｉ−Ｆｉ接続）を使用して二次デバイスのＥＩＤ（ｅＵＩＣＣ識別子）を取得する。
【０１１４】
図８は、本願の別の実施形態に係るデバイスのコンポーネントブロック図である。
【０１１５】
図８はデバイス８００を示している。デバイス８００は、プロセッサ８０１、通信ユニット８０２、ｅＵＩＣＣ８０３およびメモリ８０４を含む。デバイス８００は、図１から図３の第２デバイス１０２であってよい。
【０１１６】
通信ユニット８０２は、Ｗｉ−Ｆｉ（ｗｉｒｅｌｅｓｓ  ｆｉｄｅｌｉｔｙ、ワイヤレスフィデリティ）、ブルートゥース（ＢＴ：Ｂｌｕｅｔｏｏｔｈ（登録商標））および近距離無線通信（ＮＦＣ：ｎｅａｒ  ｆｉｅｌｄ  ｃｏｍｍｕｎｉｃａｔｉｏｎ）などの短距離通信プロトコルを支援してもよいし、インターネット（Ｉｎｔｅｒｎｅｔ）、ローカルエリアネットワーク（ＬＡＮ：ｌｏｃａｌ  ａｒｅａ  ｎｅｔｗｏｒｋ）、ワイヤエリアネットワーク（ＷＡＮ：ｗｉｒｅ  ａｒｅａ  ｎｅｔｗｏｒｋ）、遠隔通信ネットワーク（ｔｅｌｅｃｏｍｍｕｎｉｃａｔｉｏｎ  ｎｅｔｗｏｒｋ）、セルラネットワーク（ｃｅｌｌｕｌａｒ  ｎｅｔｗｏｒｋ）および衛星ネットワーク（ｓａｔｅｌｌｉｔｅ  ｎｅｔｗｏｒｋ）などを支援してもよい。通信ユニット８０２は更に、デバイス８００が別のデバイス（例えば、コンピュータ）に結合されること、および、当該別のデバイスと有線または無線で通信することを可能にする回路を含んでよい。
【０１１７】
プロセッサ８０１は、命令（例えば、タッチスクリーンから取得される命令）、割り込み操作、時間調整および他の機能を実行するように構成される。加えて、プロセッサ８０１は更に、グラフィックス処理ユニット（ｇｒａｐｈｉｃ  ｐｒｏｃｅｓｓｉｎｇ  ｕｎｉｔ）を含んでよい。
【０１１８】
デバイス８００は更に、プロセッサ８０１または別のコンポーネント（例えば、入力モジュール、表示モジュールまたは通信ユニット）によって受信される、または、プロセッサ８０１または別のコンポーネントによって生成される、命令またはデータを記憶するように構成されているメモリ（不図示）を含んでよい。
【０１１９】
プロセッサ８０１は、第１デバイス１０１に第２デバイス１０２のＥＩＤ（ｅＵＩＣＣ識別子）を送信することと、第１デバイス１０１からＥＩＤと一致するプロファイルダウンロード情報を受信することと、当該プロファイルダウンロード情報に従って、プロファイル管理サーバからプロファイルをダウンロードし、当該プロファイルをインストールすることとを行うように構成される。プロファイルダウンロード情報は、クイックレスポンスコードであってよい。第２デバイスは、クイックレスポンスコードを識別してプロファイル管理サーバのアドレスなどの情報を取得することにより、プロファイルのダウンロードを開始する。第２デバイス１０２は、第１デバイス１０１と第２デバイス１０２との間の接続（例えば、ブルートゥース接続またはＷｉ−Ｆｉ接続）を使用して第１デバイス１０１に第２デバイス１０２のＥＩＤ（ｅＵＩＣＣ識別子）を転送する。
【０１２０】
図９は、本願のある実施形態に係るプロファイルダウンロードの方法で第１デバイスが実行する操作のフローチャートである。
【０１２１】
図９を参照すると、段階９１０において、第１デバイスが第２デバイスとのペアリング処理を実行する。ペアリング処理にはブルートゥース技術またはＷｉ−Ｆｉ技術を使用してよいが、これに限定されるわけではない。第１デバイスが第２デバイスとのペアリング処理を実行するとき、第２デバイスは、第１デバイスに第２デバイスのＥＩＤを転送してよい。段階９２０において、第１デバイスは、ＭＮＯサーバに第２デバイスのＥＩＤを送信し、次に、ＭＮＯサーバは、プロファイル管理サーバに第２デバイスのＥＩＤを送信する。段階９３０において、第１デバイスは、プロファイル管理サーバからダウンロード情報を受信する。段階９５０において、プロファイルダウンロード情報は、第２デバイスに送信される。その後、プロファイルダウンロード情報に従って、第２デバイスは、プロファイル管理サーバからプロファイルをダウンロードしてよく、ｅＵＩＣＣに当該プロファイルをインストールしてよい。
【０１２２】
第１デバイス１０１は、図９の段階９１０の前に移動体通信事業者によって認証される必要があること、すなわち、第１デバイス１０１は、第１デバイス１０１および第２デバイス１０２がペアリングされる前に移動体通信事業者によって認証されることに留意されたい。認証方式は、ＥＡＰ−ＳＩＭ／ＡＫＡ方式またはＳＭＳ検証コード方式であってよい。
【０１２３】
図１０は、本願のある実施形態に係るプロファイルダウンロードの方法で第２デバイスが実行する操作のフローチャートである。
【０１２４】
図１０を参照すると、段階１０１０では、第２デバイスが第１デバイスとのペアリング処理を実行する。ペアリング処理にはブルートゥース技術またはＷｉ−Ｆｉ技術を使用してよいが、これに限定されるわけではない。第１デバイスが第２デバイスとのペアリング処理を実行するとき、第２デバイスは、第１デバイスに第２デバイスのＥＩＤを転送してよい。この場合、第１デバイスは、ＭＮＯサーバを使用してプロファイル管理サーバにＥＩＤを転送することにより、プロファイルダウンロード情報を取得し、第２デバイスに当該プロファイルダウンロード情報を転送する。プロファイルダウンロード情報に従って、第２デバイスは、プロファイル管理サーバからプロファイルをダウンロードしてよく、ｅＵＩＣＣに当該プロファイルをインストールしてよい。
【０１２５】
図１１は、本願のある実施形態に係るマルチＩＭＳＩシングルＭＳＩＳＤＮサービス起動方法のフローチャートである。
【０１２６】
図１１では、第１デバイス１０１および第２デバイス１０２の両方がＵＩＣＣデバイスである。第１デバイス１０１は、ＭＮＯ１０３のネットワークに既にアクセスしており（例えば、ＭＮＯ１０３のＵＩＣＣの購入および３Ｇ／４Ｇパッケージの起動を実名登録で既に行っており）、ＭＮＯ１０３のネットワークおよびアプリケーションサービスを使用してよい。ユーザが購入する第２デバイス１０２は、ＵＩＣＣも使用しており、ユーザは、第１デバイス１０１および第２デバイス１０２のためにマルチＩＭＳＩシングルＭＳＩＳＤＮサービスを起動することを望む。この場合は、第１デバイス１０１の移動局国際ＩＳＤＮ番号（ＭＳＩＳＤＮ：Ｍｏｂｉｌｅ  Ｓｔａｔｉｏｎ  Ｉｎｔｅｒｎａｔｉｏｎａｌ  ＩＳＤＮ  Ｎｕｍｂｅｒ）が、第１デバイス１０１のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）番号および第２デバイス１０２のＩＭＳＩ番号に対応している。すなわち、第１デバイス１０１および第２デバイス１０２は、１つのＭＳＩＳＤＮ番号を共有してよい。
【０１２７】
図１１を参照すると、段階１１０１から段階１１０３は、図４の段階４０１から段階４０３と同様であり、本明細書では詳細について説明しない。段階１１０４において、第１デバイス１０１は、ＭＮＯ１０３にマルチＩＭＳＩシングルＭＳＩＳＤＮサービスを申し込んでよく、第１デバイス１０１は、第１デバイスの識別子（例えば、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、ＭＳＩＳＤＮおよびＩＭＳＩ）および第２デバイス１０２の識別子（例えば、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、ＭＳＩＳＤＮおよびＩＭＳＩ）をＭＮＯ１０３に提供する。ＭＮＯ１０３は、第１デバイス１０１の識別子および第２デバイス１０２の識別子に従ってマルチＩＭＳＩシングルＭＳＩＳＤＮサービスを起動する。段階１１０５において、ＭＮＯ１０３は、第１デバイス１０１にマルチＩＭＳＩシングルＭＳＩＳＤＮサービス申し込み結果を通知する。段階１１０６において、第１デバイス１０１は、第２デバイス１０２にマルチＩＭＳＩシングルＭＳＩＳＤＮサービス申し込み結果を通知する。
【０１２８】
図１１の段階１１０３は、段階１１０１および段階１１０２の前に起こること、すなわち、第１デバイス１０１は、第１デバイス１０１および第２デバイス１０２がペアリングされる前に移動体通信事業者によって認証されることに留意されたい。認証には、上述のＥＡＰ−ＳＩＭ／ＡＫＡ認証またはＳＭＳ検証コード認証を使用してよい。本願は段階の順番によって制限されるべきではない。
【０１２９】
図１２Ａおよび図１２Ｂは、本願の別の実施形態に係るマルチＩＭＳＩシングルＭＳＩＳＤＮサービス起動方法の概略図である。
【０１３０】
図１２Ａおよび図１２Ｂを参照すると、段階１２１０から段階１２４０は、図６Ａ、図６Ｂおよび図６Ｃの段階６０１０から段階６０４０と同様であり、本明細書では詳細について説明しない。段階１２１０では、第１デバイス１０１の識別子および第２デバイス１０２の識別子が保持される。第２デバイス１０２は、ＵＩＣＣデバイスである。従って、本明細書における第１デバイスの識別子は、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、ＭＳＩＳＤＮおよびＩＭＳＩのうちの何れか１つを含む。第２デバイス１０２の識別子は、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、ＭＳＩＳＤＮおよびＩＭＳＩのうちの何れか１つを含む。
【０１３１】
段階１２５０は、任意選択的な手順である。オプションとして、第２デバイス１０２のＳＭＳ検証コード検証が実行される。認可サーバ（Ａｕｔｈｏｒｉｚａｔｉｏｎ  Ｓｅｒｖｅｒ、ＡＳ）１０３１が、第２デバイス１０２にＳＭＳ検証コードを送信するようショートメッセージセンタ１０３３に命令し、ユーザが、第１デバイス１０１を使用して認可サーバ（Ａｕｔｈｏｒｉｚａｔｉｏｎ  Ｓｅｒｖｅｒ、ＡＳ）１０３１に当該検証コードを送信することにより、第２デバイス１０２の有効性を検証する。
【０１３２】
段階１２６０から段階１２９０は、図６Ａ、図６Ｂおよび図６Ｃの段階６１４０から段階６１７０と同様であり、本明細書では詳細について説明しない。  認可サーバ１０３１は、第１デバイス１０１および第２デバイス１０２のためにＢＯＳＳシステム１０３４にマルチＩＭＳＩシングルＭＳＩＳＤＮサービスを申し込む。ＢＯＳＳシステム１０３４は、第１デバイス１０１および第２デバイス１０２のマルチＩＭＳＩシングルＭＳＩＳＤＮサービスの処理を担う。この場合、第１デバイス１０１の移動局国際ＩＳＤＮ番号（ＭＳＩＳＤＮ：Ｍｏｂｉｌｅ  Ｓｔａｔｉｏｎ  Ｉｎｔｅｒｎａｔｉｏｎａｌ  ＩＳＤＮ  Ｎｕｍｂｅｒ）は、第１デバイス１０１のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）番号および第２デバイス１０２のＩＭＳＩ番号に対応している。すなわち、第１デバイス１０１および第２デバイス１０２は、１つのＭＳＩＳＤＮ番号を共有してよい。
【０１３３】
図１３は、本願のある実施形態に係るマルチＩＭＳＩシングルＭＳＩＳＤＮサービスのバインド解除方法のフローチャートである。
【０１３４】
図１３において、段階１３０１から段階１３０３は、図４の段階４０１から段階４０３と同じである。段階１３０４では、第１デバイス１０１が、ＭＮＯ１０３にマルチＩＭＳＩシングルＭＳＩＳＤＮサービスのバインド解除処理、すなわち、第１デバイス１０１と第２デバイス１０２との間のマルチＩＭＳＩシングルＭＳＩＳＤＮサービスのバインド関係のバインド解除を申し込んでよい。第１デバイス１０１は、第１デバイスの識別子（例えば、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、ＭＳＩＳＤＮおよびＩＭＳＩ）および第２デバイス１０２の識別子（例えば、ＥＩＤ、ＭＳＩＳＤＮおよびＩＭＳＩ）をＭＮＯ１０３に提供する。ＭＮＯ１０３は、第１デバイス１０１の識別子および第２デバイス１０２の識別子に従って、第１デバイス１０１と第２デバイス１０２との間のマルチＩＭＳＩシングルＭＳＩＳＤＮサービスのバインド関係をバインド解除する。段階１３０５において、ＭＮＯ１０３は、第１デバイス１０１にマルチＩＭＳＩシングルＭＳＩＳＤＮサービスのバインド解除処理結果を通知する。段階１３０６において、第１デバイス１０１は、第２デバイス１０２にマルチＩＭＳＩシングルＭＳＩＳＤＮサービスのバインド解除処理結果を通知する。オプションとして、段階１３０７において、第２デバイス１０２は、プロファイル管理サーバにプロファイル除去要求を送信する。段階１３０８において、第２デバイス１０２は、プロファイル管理サーバからプロファイル除去結果を受信する。第２デバイス１０２は、ｅＵＩＣＣに記憶されているプロファイルを削除してよい。
【０１３５】
図１３の段階１３０３は、段階１３０１および段階１３０２の前に起こること、すなわち、第１デバイス１０１は、第１デバイス１０１および第２デバイス１０２がペアリングされる前に移動体通信事業者によって認証されることに留意されたい。認証には、上述のＥＡＰ−ＳＩＭ／ＡＫＡ認証またはＳＭＳ検証コード認証を使用してよい。本願は段階の順番によって制限されるべきではない。
【０１３６】
以上では主に、ｅＵＩＣＣデバイスがＵＩＣＣデバイスを使用することにより認証を実行してプロファイルをダウンロードするプロセスについて説明した。汎用集積回路カードＵＩＣＣおよび埋め込みＵＩＣＣ（ｅＵＩＣＣ）の両方を有する電子デバイスについては、上記と同様の方法が使用されてよい。認証は、電子デバイスの埋め込みＵＩＣＣを使用して実行され、認証が成功した後、プロファイルがｅＵＩＣＣにダウンロードおよびインストールされる。
【０１３７】
具体的な解決手段は、ＵＩＣＣに基づいて電子デバイスが移動体事業者ネットワークにより認証されることと、移動体事業者ネットワークから認証完了情報（例えば、ＳＭＳ検証コードまたは認証成功情報）を受信することと、当該認証完了情報に基づいて移動体事業者ネットワークにｅＵＩＣＣの埋め込み集積回路カード識別子（ＥＩＤ）を送信することであって、ＥＩＤは、電子デバイスが移動体事業者ネットワークのサーバからＥＩＤと一致するプロファイルダウンロード情報を取得するために使用される、送信することと、移動体事業者ネットワークのサーバからプロファイルダウンロード情報を受信することと、当該プロファイルダウンロード情報に従ってプロファイル管理サーバからプロファイルをダウンロードすることであって、プロファイルは、ダウンロードの完了後に電子デバイスのｅＵＩＣＣにインストールされる、ダウンロードすることとを含む。
【０１３８】
図１４は、本願の別の実施形態に係るプロファイルダウンロードの方法のフローチャートである。
【０１３９】
図１４では、第３デバイスがＵＩＣＣおよびｅＵＩＣＣの両方を支援する（例えば、第３デバイスは、ＳＩＭカードスロットを有し、埋め込み加入者識別モジュール（ｅＳＩＭ）チップで予め構成される）。第３デバイスは、少なくとも１つのＳＩＭカードスロットおよび少なくとも１つのｅＳＩＭチップを有してよい。
【０１４０】
第３デバイスのユーザがＭＮＯ１０３のネットワークにアクセスしている。例えば、ＭＮＯ１０３のＵＩＣＣカードの購入および３Ｇ／４Ｇパッケージの起動を実名登録で行っている。ユーザは、ＳＩＭカードスロットにＵＩＣＣカードを挿入することによってＭＮＯ１０３のネットワークおよびアプリケーションサービスを使用してよい。ユーザは更に、ｅＵＩＣＣのためにプロファイルをダウンロードしてｅＵＩＣＣの通信サービスを起動する必要がある。第３デバイスにインストールされるＳＩＭカードを使用して、事業者は、ユーザの有効性を検証してよく、正規ユーザのためにｅＵＩＣＣのプロファイルをダウンロードしてよい。
【０１４１】
図１４を参照すると、段階１４０１において、第３デバイスおよびＭＮＯ１０３は、認証処理を実行して第３デバイスの有効性を検証する。認証処理には検証コード方法を使用してよい。例えば、ＭＮＯは、検証コードをランダムに生成すること、および、ユーザの第３デバイスのＵＩＣＣカードが使用する携帯電話番号にＳＭＳメッセージを送信することにより、ユーザに検証コードを通知する。ユーザは、検証コードを入力して二次検証を実行することにより、加入者識別の正確性を確保する。段階１４０１における認証処理には、代替的にＳＩＭカードベースのＥＡＰ−ＳＩＭ／ＡＫＡ認証を使用してもよい。第３デバイスは、認証プロトコルに従って認証を完了する。
【０１４２】
段階１４０２において、段階１４０１で第３デバイスの認証が成功した場合、第３デバイスは、第３デバイスのｅＵＩＣＣのためにＭＮＯ１０３にプロファイルを申し込んでよい。第３デバイスは、ＭＮＯ１０３に第３デバイスのｅＵＩＣＣ識別子（ＥＩＤ）を提供してプロファイルを取得する。
【０１４３】
段階１４０３において、ＭＮＯ１０３は、プロファイル管理サーバに第３デバイスのＥＩＤを転送する。プロファイル管理サーバは、ＥＩＤと一致するプロファイル起動コードを作成し、段階１４０４でＭＮＯ１０３に当該起動コードを転送する。段階１４０５において、ＭＮＯ１０３は、第３デバイスに起動コードを転送する。段階１４０６において、第３デバイスは、ネットワークを使用してプロファイル管理サーバへの接続を確立し、ｅＵＩＣＣのプロファイルを取得する。
【０１４４】
図１４は、第３デバイスのＵＩＣＣを使用して第３デバイスの有効性を検証し、かつ、第３デバイスのｅＵＩＣＣのためにプロファイルをダウンロードする、プロセスについてのみ説明していることに留意されたい。オプションとして、段階１４０２において、第３デバイスは、ＭＮＯ１０３にプロファイルダウンロードおよびマルチＩＭＳＩシングルＭＳＩＳＤＮサービスの両方を申し込んでよい。すなわち、ＳＩＭカードの識別情報（例えば、ＩＣＣＩＤ、ＭＳＩＳＤＮおよびＩＭＳＩ）およびｅＵＩＣＣの識別子ＥＩＤを転送してよい。具体的な申し込みプロセスは図５と同様であり、本明細書では詳細について説明しない。マルチＩＭＳＩシングルＭＳＩＳＤＮサービスの起動後、第３デバイスのＵＩＣＣカードおよびｅＵＩＣＣは、１つのＭＳＩＳＤＮ番号を共有してよい。
【０１４５】
図１５は、本願の別の実施形態に係るプロファイルダウンロードの方法の概略図である。
【０１４６】
図１５を参照すると、段階１５００では、認可サーバ１０３１が、第３デバイスの有効性を検証する。具体的には、上述のＥＡＰ−ＳＩＭ／ＡＫＡ認証方式またはＳＭＳ検証コード認証方式を使用して第３デバイスのＵＩＣＣカードに対する認証が実行されてよい。
【０１４７】
段階１５０２から段階１５１４は、図６Ａ、図６Ｂおよび図６Ｃの段階６０１０から段階６０７０と同様であり、本明細書では詳細について説明しない。段階１５０２では、第３デバイスによって認可サーバに送信されるプロファイルダウンロード要求が、第３デバイスのｅＵＩＣＣの識別子（ＥＩＤ）を保持する。
【０１４８】
段階１５１６において、第３デバイスは、段階１５１４で取得される起動コードを使用してプロファイル管理サーバ１０３５からプロファイルをダウンロードする。次に、第３デバイスがプロファイル起動を完了した後、第３デバイスのｅＵＩＣＣは有効になり、第３デバイスはｅＵＩＣＣを使用して通信サービスを取得してよい。
【０１４９】
本願のある実施形態が、図１５における第３デバイスの様々な機能を実装する別の端末を提供する。端末は、通信ユニット、汎用集積回路カードＵＩＣＣ、埋め込みＵＩＣＣ（ｅＵＩＣＣ）およびプロセッサを含む。プロセッサは、ＵＩＣＣに基づいて移動体事業者ネットワークに対して電子デバイスを認証することと、移動体事業者ネットワークから認証完了情報を取得することと、当該認証完了情報に基づいて、移動体事業者ネットワークにｅＵＩＣＣの埋め込み集積回路カード識別子（ＥＩＤ）を送信するように通信ユニットを制御することであって、ＥＩＤは、電子デバイスが移動体事業者ネットワークのサーバからＥＩＤと一致するプロファイルダウンロード情報を取得するために使用される、制御することと、移動体事業者ネットワークのサーバからプロファイルダウンロード情報を取得することと、当該プロファイルダウンロード情報に従ってプロファイル管理サーバからプロファイルをダウンロードすることであって、プロファイルは、ダウンロードの完了後に電子デバイスのｅＵＩＣＣにインストールされる、ダウンロードすることとを行うように構成される。
【０１５０】
図１６は、本願の別の実施形態に係るプロファイルダウンロードの方法の概略図である。
【０１５１】
図１６では、第１デバイス１０１および第２デバイス１０２が同じユーザに属する。第１デバイス１０１は、図１の第１デバイス１０１と同じ機能を有し、第２デバイス１０２は、図１の第２デバイス１０２と同じ機能を有する。第１デバイス１０１に挿入することができ、かつ、第１デバイス１０１から取り外すことができる、汎用集積回路カード（ＵＩＣＣ）が、第１デバイス１０１にインストールされる。第２デバイス１０２には、ＵＩＣＣに取って代わり、かつ、第２デバイス１０２に取り外し不可能に埋め込まれる、埋め込みＵＩＣＣ（ｅＵＩＣＣ）を使用している。
【０１５２】
第２デバイス１０２は、古い第１デバイス１０１と交換するためにユーザが新たに購入するデバイスであり、ユーザは、デバイスの交換後も元の電話番号を使用することを望む。ユーザにより入力されるｅＵＩＣＣサービスアップグレード要求を第２デバイス１０２が受信した後、プロファイルをダウンロードし、プロファイル起動を完了し、新しいカード（例えば、第２デバイス１０２のｅＵＩＣＣ）は有効になり、古いカード（例えば、第１デバイス１０１のＵＩＣＣ）は無効になる。これは、事業者の既存サービスにおける４Ｇカード交換サービスと同様である（すなわち、ユーザは古いＳＩＭカードを処分し、新しいＳＩＭカードを使用する）。しかしながら、本明細書における第２デバイス１０２には、端末に埋め込まれ、かつ、取り外し不可能である、埋め込みＵＩＣＣ（ｅＵＩＣＣ）を使用している。従って手順が異なる。
【０１５３】
第２デバイス１０２は、移動体事業者ネットワークのサーバにプロファイル取得要求（別名「ｅＵＩＣＣアップグレード要求」）を送信する。プロファイル取得要求は、第２デバイス１０２の埋め込み集積回路カード識別子（ＥＩＤ）および第１デバイス１０１の移動局国際ＩＳＤＮ番号ＭＳＩＳＤＮを保持する。ＥＩＤは、第２デバイス１０２が移動体事業者ネットワークのサーバからＥＩＤと一致するプロファイルダウンロード情報を取得するために使用される。第２デバイス１０２は、移動体事業者ネットワークのサーバに検証コードを送信する。検証コードは、第１デバイス１０１によって受信される検証コードである。例えば、ユーザは、第２デバイス１０２を使用して、第１デバイス１０１によって受信される検証コードを手動で入力してもよいし、ユーザは、第２デバイス１０２を使用して、短距離通信（例えば、ＮＦＣ）で、または、クイックレスポンスコードをスキャンする形で、第１デバイス１０１によって受信される検証コードを取得してもよい。第２デバイス１０２は、移動体事業者サーバからプロファイルダウンロード情報を受信する。第２デバイス１０２は、当該プロファイルダウンロード情報に従ってプロファイル管理サーバからプロファイルをダウンロードする。プロファイルは、ダウンロードの完了後に第２デバイス１０２の埋め込みＵＩＣＣ（ｅＵＩＣＣ）にインストールされる。
【０１５４】
図１６を参照すると、段階１６０１において、第２デバイス１０２は、認可サーバ１０３１に「ｅＵＩＣＣへのアップグレード」要求を送信する。「ｅＵＩＣＣへのアップグレード」要求は、ユーザの移動局国際ＩＳＤＮ番号ＭＳＩＳＤＮおよび第２デバイス１０２の埋め込み集積回路カード識別子（ＥＩＤ）を保持する。
【０１５５】
段階１６０２において、認可サーバ１０３１は、検証コードを生成し、ショートメッセージセンタ１０３３に当該検証コードを送信する。
【０１５６】
段階１６０３において、ショートメッセージセンタ１０３３は、ＳＭＳメッセージ方式でユーザの第１デバイス１０１に検証コードを送信することにより、ユーザに検証コードを通知する。
【０１５７】
段階１６０４において、第２デバイス１０２は、ユーザによって入力される検証コードを受信し、認可サーバ１０３１に検証コードを送信する。次に、認可サーバ１０３１は、検証コードを検証する。検証が成功した場合、段階１６０５において、認可サーバ１０３１は、ユーザ検証が成功したことをＢＯＳＳ１０３４に通知する。
【０１５８】
段階１６０６において、ＢＯＳＳシステム１０３４は、プロファイルおよびプロファイルダウンロード情報（起動コード）を作成するようプロファイル管理サーバ１０３５に命令する。
【０１５９】
段階１６０７において、ＢＯＳＳシステム１０３４は、認可サーバ１０３１に起動コード（Ａｃｔｉｖａｔｉｏｎ  Ｃｏｄｅ）を送信する。
【０１６０】
段階１６０８において、認可サーバ１０３１は、第２デバイス１０２に起動コード（Ａｃｔｉｖａｔｉｏｎ  Ｃｏｄｅ）を送信する。
【０１６１】
段階１６０９において、第２デバイス１０２は、段階１６０８で取得される起動コードを使用してプロファイル管理サーバ１０３５からプロファイルをダウンロードする。
【０１６２】
第２デバイス１０２がプロファイルをダウンロードし、かつ、プロファイルを正常に起動した後、第２デバイス１０２のｅＵＩＣＣは有効になり、古いカード（第１デバイス１０１のＵＩＣＣ）は無効になり、ユーザは元の電話番号を使用して第２デバイス１０２で電話サービスを実行してよい。
【０１６３】
本願の別の実施形態が、図１６における第２デバイスの様々な機能を実装する別の端末を提供する。端末は、通信ユニット、埋め込みＵＩＣＣ（ｅＵＩＣＣ）およびプロセッサを含む。プロセッサは、移動体事業者ネットワークのサーバにプロファイル取得要求を送信するように通信ユニットを制御することであって、プロファイル取得要求は、端末の埋め込み集積回路カード識別子（ＥＩＤ）および第１デバイスの移動局国際ＩＳＤＮ番号ＭＳＩＳＤＮを保持し、ＥＩＤは、端末が移動体事業者ネットワークのサーバからＥＩＤと一致するプロファイルダウンロード情報を取得するために使用される、制御することと、移動体事業者ネットワークのサーバに検証コードを送信するように通信ユニットを制御することであって、検証コードは、第１デバイスによって受信される検証コードである、制御することと、移動体事業者サーバからプロファイルダウンロード情報を取得することと、当該プロファイルダウンロード情報に従ってプロファイル管理サーバからプロファイルをダウンロードすることであって、プロファイルは、ダウンロードの完了後に端末の埋め込みＵＩＣＣ（ｅＵＩＣＣ）にインストールされる、ダウンロードすることとを行うように構成される。
【０１６４】
図１７は、本願の別の実施形態に係るプロファイルダウンロードの方法の概略図である。
【０１６５】
図１７では、第４デバイスおよび第５デバイスが同じユーザに属する。第４デバイスおよび第５デバイスの両方が、ＵＩＣＣに取って代わり、かつ、デバイスに取り外し不可能に埋め込まれる、埋め込みＵＩＣＣ（ｅＵＩＣＣ）を使用している。
【０１６６】
第５デバイスは、ＭＮＯ１０３のネットワークに既にアクセスしている。例えば、第５デバイスのｅＵＩＣＣは、プロファイルをダウンロードし、ＭＮＯ１０３の通信サービスを起動する。ユーザは、第５デバイスを使用してＭＮＯ１０３のネットワークおよびアプリケーションサービスを使用してよい。  第４デバイスは、古い第５デバイスと交換するためにユーザが新たに購入するデバイスであり、ユーザは、デバイスの交換後も元の電話番号を使用することを望む。ユーザにより入力されるｅＵＩＣＣサービス移行要求を第４デバイスが受信した後、プロファイルをダウンロードしてプロファイル起動を完了し、第４デバイスのｅＵＩＣＣは、プロファイルダウンロードを完了して有効になり、第５デバイスのｅＵＩＣＣのプロファイルは無効になる。これは、事業者の既存サービスにおける４Ｇカード交換サービスと同様である（すなわち、ユーザは古いＳＩＭカードを処分し、新しいＳＩＭカードを使用する）。しかしながら、本明細書における第４デバイスおよび第５デバイスの両方が、端末に埋め込まれ、かつ、取り外し不可能である、埋め込みＵＩＣＣ（ｅＵＩＣＣ）を使用している。従って手順が異なる。
【０１６７】
第４デバイスは、移動体事業者ネットワークのサーバにプロファイル取得要求（別名「ｅＵＩＣＣ移行要求」）を送信する。プロファイル取得要求は、第４デバイスの埋め込み集積回路カード識別子（ＥＩＤ）および第５デバイスの移動局国際ＩＳＤＮ番号ＭＳＩＳＤＮを保持する。ＥＩＤは、第４デバイスが移動体事業者ネットワークのサーバからＥＩＤと一致するプロファイルダウンロード情報を取得するために使用される。第４デバイスは、移動体事業者ネットワークのサーバに検証コードを送信する。検証コードは、第５デバイスによって受信される検証コードである。例えば、ユーザは、第４デバイスを使用して、第５デバイスによって受信される検証コードを手動で入力してもよいし、ユーザは、第５デバイスを使用して、短距離通信（例えば、ＮＦＣ）で、または、クイックレスポンスコードをスキャンする形で、第４デバイスによって受信される検証コードを取得してもよい。第４デバイスは、移動体事業者サーバからプロファイルダウンロード情報を受信する。第４デバイスは、当該プロファイルダウンロード情報に従ってプロファイル管理サーバからプロファイルをダウンロードする。プロファイルは、ダウンロードの完了後に第４デバイスの埋め込みＵＩＣＣ（ｅＵＩＣＣ）にインストールされる。
【０１６８】
図１７を参照すると、段階１７０１において、第４デバイスは、認可サーバ１０３１に「ｅＵＩＣＣ移行」要求を送信する。「ｅＵＩＣＣ移行」要求は、ユーザの移動局国際ＩＳＤＮ番号ＭＳＩＳＤＮおよび第４デバイスの埋め込み集積回路カード識別子（ＥＩＤ）を保持する。
【０１６９】
段階１７０２から段階１７０９は、図１６の段階１６０２から段階１６０９と同様であり、本明細書では詳細について説明しない。
【０１７０】
第４デバイスがプロファイルをダウンロードして正常に起動した後、第４デバイスのｅＵＩＣＣは有効になり、第５デバイスのｅＵＩＣＣのプロファイルは無効になり、ユーザは元の電話番号を使用して第４デバイスで通信サービス（電話またはＳＭＳメッセージ）を実行してよい。
【０１７１】
本願のある実施形態が、図１７における第４デバイスの様々な機能を実装する別の端末を提供する。端末は、通信ユニット、埋め込みＵＩＣＣ（ｅＵＩＣＣ）およびプロセッサを含む。プロセッサは、移動体事業者ネットワークのサーバにプロファイル取得要求を送信するように通信ユニットを制御することであって、プロファイル取得要求は、端末の埋め込み集積回路カード識別子（ＥＩＤ）および第５デバイスの移動局国際ＩＳＤＮ番号ＭＳＩＳＤＮを保持し、ＥＩＤは、端末が移動体事業者ネットワークのサーバからＥＩＤと一致するプロファイルダウンロード情報を取得するために使用される、制御することと、移動体事業者ネットワークのサーバに検証コードを送信するように通信ユニットを制御することであって、検証コードは、第５デバイスによって受信される検証コードである、制御することと、移動体事業者サーバからプロファイルダウンロード情報を取得することと、当該プロファイルダウンロード情報に従ってプロファイル管理サーバからプロファイルをダウンロードすることであって、プロファイルは、ダウンロードの完了後に端末の埋め込みＵＩＣＣ（ｅＵＩＣＣ）にインストールされる、ダウンロードすることとを行うように構成される。
【０１７２】
本願を実装するように構成されているデバイスにおいて、プロセッサは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、トランジスタ論理デバイス、ハードウェアコンポーネント、または、これらの任意の組み合わせであってよい。プロセッサは、本願において開示される内容を参照して説明されている論理ブロック、モジュールおよび回路の様々な例を実装または実行してよい。
【０１７３】
本願において開示される内容と組み合わせて説明されている方法またはアルゴリズムの段階は、ハードウェアで実装されてもよいし、ソフトウェア命令を実行することによりプロセッサで実装されてもよい。ソフトウェア命令は、対応するソフトウェアモジュールを含んでよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルハードディスク、ＣＤ−ＲＯＭ、または、当技術分野で知られている任意の他の形態の記憶媒体に配置されてよい。例えば、記憶媒体がプロセッサに結合されることにより、プロセッサは、記憶媒体から情報を読み出すこと、または、記憶媒体に情報を書き込むことができる。当然ながら、記憶媒体はプロセッサのコンポーネントであってよい。プロセッサおよび記憶媒体は、ＡＳＩＣに配置されてよい。加えて、ＡＳＩＣはユーザ機器に配置されてよい。当然ながら、プロセッサおよび記憶媒体は、ディスクリートコンポーネントとしてユーザ機器に存在してよい。
【０１７４】
当業者であれば、上述の１つまたは複数の例において、本願で説明されている機能が、ハードウェア、ソフトウェア、ファームウェア、または、これらの任意の組み合わせで実装され得ることが分かるはずである。当業者であれば、本明細書で開示される実施形態を参照して説明されている例におけるユニットおよびアルゴリズムの段階が、ハードウェア、または、ハードウェアとコンピュータソフトウェアとの組み合わせで実装され得ることが容易に分かるはずである。ある機能がハードウェアで実行されるか、コンピュータソフトウェアによって駆動されるハードウェアで実行されるかは、これらの技術的解決手段の特定の用途および設計上の制約によって決まる。当業者であれば、複数の異なる方法を使用して、説明されている機能を特定の用途ごとに実装できるが、その実装が本願の範囲を超えるものとみなされるべきではない。本発明がソフトウェアで実装されるとき、上述の機能は、コンピュータ可読媒体に記憶されもよいし、コンピュータ可読媒体内の１つまたは複数の命令またはコードとして伝送されてもよい。コンピュータ可読媒体には、コンピュータ記憶媒体および通信媒体が含まれる。ここで、通信媒体には、コンピュータプログラムを１つの場所から別の場所に伝送することを可能にする任意の媒体が含まれる。記憶媒体は、汎用コンピュータまたは専用コンピュータからアクセスできる任意の利用可能な媒体であってよい。
【０１７５】
本願の目的、技術的解決手段および利点は更に、上述の具体的な実施形態において詳しく説明されている。上述の説明は本願の特定の実施形態に過ぎず、本願の保護範囲を限定しようと意図しているわけではないことを理解されたい。本願の技術的解決手段に基づいて行われる修正、同等の置き換え、または、改良などは何れも、本願の保護範囲に入るものとする。
【図１】
2019532593.tif 000003
【図２】
2019532593.tif 000004
【図３】
2019532593.tif 000005
【図４】
2019532593.tif 000006
【図５】
2019532593.tif 000007
【図６Ａ】
2019532593.tif 000008
【図６Ｂ】
2019532593.tif 000009
【図６Ｃ】
2019532593.tif 000010
【図７】
2019532593.tif 000011
【図８】
2019532593.tif 000012
【図９】
2019532593.tif 000013
【図１０】
2019532593.tif 000014
【図１１】
2019532593.tif 000015
【図１２Ａ】
2019532593.tif 000016
【図１２Ｂ】
2019532593.tif 000017
【図１３】
2019532593.tif 000018
【図１４】
2019532593.tif 000019
【図１５】
2019532593.tif 000020
【図１６】
2019532593.tif 000021
【図１７】
2019532593.tif 000022
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
第１デバイスと、
第２デバイスと
を備えるシステムであって、前記第１デバイスは、
前記第２デバイスの埋め込み汎用集積回路カード（ｅＵＩＣＣ）識別子（ＥＩＤ）を取得することと、
プロファイルダウンロード要求を示す第１メッセージを移動体事業者ネットワークに送信することであって、前記第１メッセージは、前記第２デバイスの前記ＥＩＤを含む、送信することと、
前記移動体事業者ネットワークから前記ＥＩＤと関連付けられるプロファイルを受信することと、
前記第２デバイスに前記プロファイルを送信することと
を行うように構成され、
前記第２デバイスは、前記第２デバイスのｅＵＩＣＣに前記プロファイルをインストールするように構成される、システム。
【請求項２】
前記第２デバイスの前記ＥＩＤを取得することは、前記第２デバイスとのブルートゥース接続を介して前記第２デバイスの前記ｅＵＩＣＣの前記ＥＩＤを取得することを含む、請求項１に記載のシステム。
【請求項３】
前記第１メッセージは更に、前記第１デバイスの識別子を含み、前記第１デバイスの前記識別子は、集積回路カード識別子ＩＣＣＩＤ、移動体加入者ＩＳＤＮ番号ＭＳＩＳＤＮまたは国際移動体加入者識別ＩＭＳＩのうちの何れか１つを含む、請求項１または２に記載のシステム。
【請求項４】
前記第１デバイスは更に、
契約情報を含むウェブページを表示することと、
前記契約情報のサービス規約に同意するためのユーザ入力を受信することと
を行うように構成される、請求項１から３の何れか一項に記載のシステム。
【請求項５】
前記ＥＩＤと関連付けられる前記プロファイルを受信することは、プロファイル管理サーバから前記ＥＩＤと関連付けられる前記プロファイルを受信することを含む、請求項１から４の何れか一項に記載のシステム。
【請求項６】
前記第１デバイスのＭＳＩＳＤＮが、前記第２デバイスによって共有される、請求項１から５の何れか一項に記載のシステム。
【請求項７】
前記第１デバイスは更に、
前記移動体事業者ネットワークに対して認証プロセスを実行することと、
前記移動体事業者ネットワークから認証成功情報を取得することと
を行うように構成される、請求項１から６の何れか一項に記載のシステム。
【請求項８】
前記認証プロセスは、拡張認証プロトコル・認証と鍵合意ＥＡＰ−ＡＫＡ認証プロセスである、請求項７に記載のシステム。
【請求項９】
少なくとも１つのプロセッサと、
メモリと
を備える第１デバイスであって、
前記メモリは、前記少なくとも１つのプロセッサに結合され、かつ、前記少なくとも１つのプロセッサで実行されると、前記第１デバイスに、
第２デバイスの埋め込み汎用集積回路カード（ｅＵＩＣＣ）識別子（ＥＩＤ）を取得することと、
プロファイルダウンロード要求を示す第１メッセージを移動体事業者ネットワークに送信することであって、前記第１メッセージは、前記第２デバイスの前記ＥＩＤを含む、送信することと、
前記移動体事業者ネットワークから前記ＥＩＤと関連付けられるプロファイルを受信することと、
前記第２デバイスに前記プロファイルを送信することであって、前記プロファイルは、前記第２デバイスのｅＵＩＣＣにインストールされる、送信することと
を行わせるプログラミング命令を記憶する、第１デバイス。
【請求項１０】
前記第２デバイスの前記ＥＩＤを取得することは、前記第２デバイスとのブルートゥース接続を介して前記第２デバイスの前記ｅＵＩＣＣの前記ＥＩＤを取得することを含む、請求項９に記載の第１デバイス。
【請求項１１】
前記第１メッセージは更に、前記第１デバイスの識別子を含み、前記第１デバイスの前記識別子は、集積回路カード識別子ＩＣＣＩＤ、移動体加入者ＩＳＤＮ番号ＭＳＩＳＤＮまたは国際移動体加入者識別ＩＭＳＩのうちの何れか１つを含む、請求項９または１０に記載の第１デバイス。
【請求項１２】
前記メモリは更に、前記少なくとも１つのプロセッサで実行されると、前記第１デバイスに、
契約情報を含むウェブページを表示することと、
前記契約情報のサービス規約に同意するためのユーザ入力を受信することと
を行わせるプログラミング命令を記憶する、請求項９から１１の何れか一項に記載の第１デバイス。
【請求項１３】
埋め込みＵＩＣＣ、ｅＵＩＣＣと、
少なくとも１つのプロセッサと、
メモリと
を備える端末であって、前記メモリは、前記少なくとも１つのプロセッサに結合され、かつ、前記少なくとも１つのプロセッサで実行されると、前記端末に、
前記ｅＵＩＣＣの埋め込み汎用集積回路カード（ｅＵＩＣＣ）識別子（ＥＩＤ）を取得することと、
プロファイルダウンロード要求を示す第１メッセージを移動体事業者ネットワークに送信することであって、前記第１メッセージは、前記ｅＵＩＣＣの前記ＥＩＤを含む、送信することと、
プロファイル管理サーバからプロファイルを受信することと、
前記ｅＵＩＣＣに前記プロファイルをインストールすることと
を行わせるプログラミング命令を記憶する、端末。
【請求項１４】
前記第１メッセージは更に、前記端末の識別子を含み、前記端末の前記識別子は、集積回路カード識別子ＩＣＣＩＤ、移動体加入者ＩＳＤＮ番号ＭＳＩＳＤＮまたは国際移動体加入者識別ＩＭＳＩのうちの何れか１つを含む、請求項１３に記載の端末。
【請求項１５】
前記メモリは更に、前記少なくとも１つのプロセッサで実行されると、前記端末に、
契約情報を含むウェブページを表示することと、
前記契約情報のサービス規約に同意するためのユーザ入力を受信することと
を行わせるプログラミング命令を記憶する、請求項１３または１４に記載の端末。
【請求項１６】
第１デバイスが第２デバイスの埋め込み汎用集積回路カード識別子ＥＩＤを取得する段階と、
前記第１デバイスが、プロファイルダウンロード要求を示す第１メッセージを移動体事業者ネットワークに送信する段階であって、前記第１メッセージは、前記第２デバイスの前記ＥＩＤを含む、送信する段階と、
前記第１デバイスが、前記移動体事業者ネットワークから前記ＥＩＤと関連付けられるプロファイルを受信する段階と、
前記第１デバイスが前記第２デバイスに前記プロファイルを送信する段階であって、前記プロファイルは、前記第２デバイスのｅＵＩＣＣにインストールされる、送信する段階と
を備える、プロファイルダウンロードの方法。
【請求項１７】
前記第２デバイスの前記ＥＩＤを取得する段階は、前記第２デバイスとのブルートゥース接続を介して前記第２デバイスの前記ｅＵＩＣＣの前記ＥＩＤを取得する段階を含む、請求項１６に記載の方法。
【請求項１８】
前記第１メッセージは更に、前記第１デバイスの識別子を含み、前記第１デバイスの前記識別子は、集積回路カード識別子ＩＣＣＩＤ、移動体加入者ＩＳＤＮ番号ＭＳＩＳＤＮまたは国際移動体加入者識別ＩＭＳＩのうちの何れか１つを含む、請求項１６または１７に記載の方法。
【請求項１９】
契約情報を含むウェブページを表示する段階と、
前記契約情報のサービス規約に同意するためのユーザ入力を受信する段階と
を更に備える、請求項１６から１８の何れか一項に記載の方法。
【請求項２０】
端末がｅＵＩＣＣの埋め込み汎用集積回路カード（ｅＵＩＣＣ）識別子（ＥＩＤ）を取得する段階と、
前記端末が、プロファイルダウンロード要求を示す第１メッセージを移動体事業者ネットワークに送信する段階であって、前記第１メッセージが、前記ｅＵＩＣＣの前記ＥＩＤを含む、送信する段階と、
前記端末がプロファイル管理サーバからプロファイルを受信する段階と、
前記端末が前記ｅＵＩＣＣに前記プロファイルをインストールする段階と
を備えるプロファイルダウンロードの方法。
【請求項２１】
前記第１メッセージは更に、前記端末の識別子を含み、前記端末の前記識別子は、集積回路カード識別子ＩＣＣＩＤ、移動体加入者ＩＳＤＮ番号ＭＳＩＳＤＮまたは国際移動体加入者識別ＩＭＳＩのうちの何れか１つを含む、請求項２０に記載の方法。
【請求項２２】
契約情報を含むウェブページを表示する段階と、
前記契約情報のサービス規約に同意するためのユーザ入力を受信する段階と
を更に備える、請求項２０または２１に記載の方法。
【請求項２３】
コンピュータに請求項１６から１８の何れか一項に記載の方法を実行させるためのプログラム。
【請求項２４】
コンピュータに請求項２０から２２の何れか一項に記載の方法を実行させるためのプログラム。
【手続補正２】
【補正対象書類名】明細書
【補正対象項目名】０００８
【補正方法】変更
【補正の内容】
【０００８】
第１態様によれば、本願のある実施形態がプロファイルダウンロードの方法を提供する。プロファイルダウンロードの方法は、汎用集積回路カードＵＩＣＣを有する一次デバイスに適用されてよい。一次デバイスは、二次デバイスのためにプロファイルダウンロード情報を申し込んでよい。方法は、二次デバイスの埋め込み集積回路カード識別子（ＥＩＤ）を取得する段階であって、ＥＩＤは、一次デバイスが移動体事業者サーバからＥＩＤと一致するプロファイルダウンロード情報を取得するために使用される、取得する段階と、移動体事業者サーバからＥＩＤと一致するプロファイルダウンロード情報を受信する段階と、二次デバイスにプロファイルダウンロード情報を送信する段階であって、プロファイルダウンロード情報は、二次デバイスがプロファイル管理サーバからプロファイルをダウンロードするために使用され、プロファイルは、ダウンロードの完了後に二次デバイスの埋め込みＵＩＣＣ（ｅＵＩＣＣ）にインストールされる、送信する段階とを含む。
【手続補正３】
【補正対象書類名】明細書
【補正対象項目名】００１０
【補正方法】変更
【補正の内容】
【００１０】
考えられるある設計において、二次デバイスのプロファイルがダウンロードおよびインストールされた後、一次デバイスは更に、ＭＮＯにマルチＩＭＳＩシングルＭＳＩＳＤＮサービスを申し込んでよい。すなわち、１つの移動局国際ＩＳＤＮ番号ＭＳＩＳＤＮが複数のデバイスの国際移動体加入者識別ＩＭＳＩに対応している。一次デバイスは、移動体事業者サーバにマルチＩＭＳＩシングルＭＳＩＳＤＮサービス起動要求を送信する。ここで、マルチＩＭＳＩシングルＭＳＩＳＤＮサービス起動要求は、一次デバイスの識別子および二次デバイスの識別子を保持し、一次デバイスの識別子は、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、移動局国際ＩＳＤＮ番号ＭＳＩＳＤＮおよび国際移動体加入者識別ＩＭＳＩのうちの何れか１つを含み、二次デバイスの識別子は、ＥＩＤ、ＭＳＩＳＤＮおよびＩＭＳＩのうちの何れか１つを含む。
【手続補正４】
【補正対象書類名】明細書
【補正対象項目名】００２０
【補正方法】変更
【補正の内容】
【００２０】
更に別の態様によれば、本願のある実施形態が別のデバイスを提供する。デバイスは、埋め込み汎用集積回路カードｅＵＩＣＣおよびプロセッサを含む。プロセッサは、一次デバイスにＥＩＤを送信し、一次デバイスからＥＩＤと一致するプロファイルダウンロード情報を受信し、かつ、当該プロファイルダウンロード情報に従ってプロファイル管理サーバからプロファイルをダウンロードするように構成される。ここで、プロファイルは、ダウンロードの完了後にｅＵＩＣＣにインストールされる。
【手続補正５】
【補正対象書類名】明細書
【補正対象項目名】００２１
【補正方法】変更
【補正の内容】
【００２１】
尚も更に別の態様によれば、本願のある実施形態が別の端末を提供する。端末は、汎用集積回路カードＵＩＣＣおよびプロセッサを含む。プロセッサは、二次デバイスの識別子を取得することであって、二次デバイスの識別子は、ＩＣＣＩＤ、ＭＳＩＳＤＮおよびＩＭＳＩのうちの何れか１つを含み、二次デバイスは、ＵＩＣＣを有する、取得することと、移動体事業者サーバにマルチＩＭＳＩシングルＭＳＩＳＤＮサービス要求を送信することであって、マルチＩＭＳＩシングルＭＳＩＳＤＮサービス要求は、端末の識別子および二次デバイスの識別子を保持し、一次デバイスの識別子は、ＩＣＣＩＤ、ＭＳＩＳＤＮおよびＩＭＳＩのうちの何れか１つを含む、送信することと、移動体事業者サーバからマルチＩＭＳＩシングルＭＳＩＳＤＮサービス起動結果を受信することとを行うように構成される。
【手続補正６】
【補正対象書類名】明細書
【補正対象項目名】００７１
【補正方法】変更
【補正の内容】
【００７１】
段階１４０において、第２デバイス１０２は、起動コードをスキャンして、Ｗｉ−Ｆｉネットワークを使用してプロファイル管理サーバからプロファイルをダウンロードする。代替的に、第２デバイス１０２は、第１デバイス１０１を使用して、第１デバイス１０１へのブルートゥース接続でプロファイル管理サーバへ間接的にアクセスしてもよく、プロファイル管理サーバからプロファイルをダウンロードしてもよい。第２デバイス１０２がプロファイル作成を完了した後、第１デバイス１０１は、ＭＮＯ１０３にマルチＩＭＳＩシングルＭＳＩＳＤＮサービス起動要求を再び送信してよい。マルチＩＭＳＩシングルＭＳＩＳＤＮサービス起動要求は、第１デバイス１０１の識別子および第２デバイス１０２の識別子を保持する。第１デバイス１０１の識別子は、第１デバイス１０１の集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、ＭＳＩＳＤＮおよびＩＭＳＩであってよい。第２デバイス１０２の識別子は、第２デバイス１０２のＥＩＤ（ｅＵＩＣＣ識別子）、ＭＳＩＳＤＮおよびＩＭＳＩであってよい。その後、ＭＮＯ１０３は、第１デバイス１０１の識別子および第２デバイス１０２の識別子に従ってマルチＩＭＳＩシングルＭＳＩＳＤＮサービスを起動することにより、ユーザの第１デバイス１０１と第２デバイス１０２との間のＦＡ電話サービスまたはＭＡＨ電話サービスを実装する。
【手続補正７】
【補正対象書類名】明細書
【補正対象項目名】００７９
【補正方法】変更
【補正の内容】
【００７９】
図４を参照すると、段階４０１において、第１デバイス１０１が第２デバイス１０２とのブルートゥースペアリング処理を実行し、ペアリング処理は、第１デバイス１０１のＵＩインタフェースを使用して実装されてよい。その後、段階４０２において、第１デバイス１０１と第２デバイス１０２との間にデータを伝送するためのブルートゥース接続が確立され、第１デバイス１０１は、ブルートゥース接続を使用して第２デバイス１０２のＥＩＤ（ｅＵＩＣＣ識別子）を取得してよい。段階４０３において、第１デバイス１０１およびＭＮＯは、認証処理を実行して第１デバイス１０１の有効性を検証する。認証処理には検証コード方法を使用してよい。例えば、ＭＮＯは、検証コードをランダムに生成すること、および、ユーザの第１デバイス１０１が使用する携帯電話番号にＳＭＳメッセージを送信することにより、ユーザに検証コードを通知する。ユーザは、検証コードを入力して二次検証を実行することにより、加入者識別の正確性を確保する。段階４０４における認証処理には、代替的にカードベースのＥＡＰ−ＳＩＭ／ＡＫＡ認証を使用してもよい。第１デバイス１０１は、認証プロトコルに従って認証を完了し、ＭＮＯのネットワークにアクセスする。段階４０４において、第１デバイス１０１は、ＭＮＯにプロファイル取得要求を送信する。ここで、プロファイル取得要求は、第２デバイスのＥＩＤ（ｅＵＩＣＣ識別子）を保持する。段階４０５において、ＭＮＯは、プロファイル管理サーバにＥＩＤを転送する。段階４０５において、ＭＮＯは、プロファイル管理サーバにＥＩＤを転送し、プロファイル管理サーバは、ＥＩＤと一致するプロファイル起動コードを作成し、段階４０６においてＭＮＯに当該起動コードを転送する。段階４０７において、ＭＮＯは、第１デバイス１０１に起動コードを転送する。段階４０８において、第１デバイス１０１は、第２デバイス１０２に起動コードを転送する。段階４０９において、第２デバイス１０２は、Ｗｉ−Ｆｉネットワークを使用すること、または、第１デバイス１０１を使用してプロファイル管理サーバへの接続を確立することによって、プロファイルを取得する。段階４１０において、第１デバイス１０１は、ＭＮＯにマルチＩＭＳＩシングルＭＳＩＳＤＮサービス申し込みを送信する。ここで、マルチＩＭＳＩシングルＭＳＩＳＤＮサービス申し込みは、第１デバイス１０１の識別子および第２デバイス１０２の識別子を保持する。第１デバイス１０１の識別子は、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、ＭＳＩＳＤＮおよびＩＭＳＩであってよい。第２デバイス１０２の識別子は、ＥＩＤ（ｅＵＩＣＣ識別子）、ＭＳＩＳＤＮおよびＩＭＳＩであってよい。その後、ＭＮＯ１０３は、第１デバイス１０１の識別子および第２デバイス１０２の識別子に従ってマルチＩＭＳＩシングルＭＳＩＳＤＮサービスを起動する。このように、第１デバイス１０１のＭＳＩＳＤＮは、第１デバイス１０１のＩＭＳＩおよび第２デバイス１０２のＩＭＳＩに対応していることにより、ユーザの第１デバイス１０１と第２デバイス１０２との間のＦＡ電話サービスまたはＭＡＨ電話サービスを実装してよい。
【手続補正８】
【補正対象書類名】明細書
【補正対象項目名】００８３
【補正方法】変更
【補正の内容】
【００８３】
図５を参照すると、段階５０１から段階５０３は、図４の段階４０１から段階４０３と同様であり、本明細書では詳細について説明しない。段階５０４において、第１デバイス１０１は、ＭＮＯ１０３にマルチＩＭＳＩシングルＭＳＩＳＤＮサービスを申し込むとき、プロファイルダウンロード手順をトリガしてよい。第１デバイス１０１は、第１デバイスの識別子（例えば、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、ＭＳＩＳＤＮおよびＩＭＳＩ）および第２デバイス１０２のＥＩＤをＭＮＯ１０３に提供する。ＭＮＯ１０３は、第１デバイス１０１の識別子および第２デバイス１０２のＥＩＤに従ってマルチＩＭＳＩシングルＭＳＩＳＤＮサービスを起動する。段階５０６から段階５０９は、図４の段階４０６から段階４０９と同様であり、本明細書では詳細について説明しない。段階５１０において、ＭＮＯ１０３は、第１デバイス１０１にマルチＩＭＳＩシングルＭＳＩＳＤＮサービス申し込み結果を通知する。図５の段階５０３は、段階５０１および段階５０２の前に起こってよいこと、すなわち、第１デバイス１０１は、第１デバイス１０１および第２デバイス１０２がペアリングされる前に移動体通信事業者によって認証されることに留意されたい。
【手続補正９】
【補正対象書類名】明細書
【補正対象項目名】００９５
【補正方法】変更
【補正の内容】
【００９５】
段階６１１０において、第１デバイス１０１は、認可サーバ（Ａｕｔｈｏｒｉｚａｔｉｏｎ  Ｓｅｒｖｅｒ、ＡＳ）１０３１にマルチＩＭＳＩシングルＭＳＩＳＤＮサービス起動要求を送信する。ここで、要求は、第１デバイス１０１の識別子および第２デバイス１０２の識別子を保持する。第１デバイス１０１の識別子は、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、ＭＳＩＳＤＮおよびＩＭＳＩであってよい。第２デバイス１０２の識別子は、ＥＩＤ（ｅＵＩＣＣ識別子）、ＭＳＩＳＤＮおよびＩＭＳＩであってよい。
【手続補正１０】
【補正対象書類名】明細書
【補正対象項目名】０１０４
【補正方法】変更
【補正の内容】
【０１０４】
図７は端末７００を示している。端末７００は、プロセッサ７０１、通信ユニット７０２、ＵＩＣＣ７０３およびメモリ７０４を含む。端末７００は、図１から図３の第１デバイス１０１であってよい。通信ユニット７０２は、Ｗｉ−Ｆｉ（ｗｉｒｅｌｅｓｓ  ｆｉｄｅｌｉｔｙ、ワイヤレスフィデリティ）、ブルートゥース（ＢＴ：Ｂｌｕｅｔｏｏｔｈ（登録商標））および近距離無線通信（ＮＦＣ：ｎｅａｒ  ｆｉｅｌｄ  ｃｏｍｍｕｎｉｃａｔｉｏｎ）などの短距離通信プロトコルを支援してもよいし、インターネット（Ｉｎｔｅｒｎｅｔ）、ローカルエリアネットワーク（ＬＡＮ：ｌｏｃａｌ  ａｒｅａ  ｎｅｔｗｏｒｋ）、ワイドエリアネットワーク（ＷＡＮ：ｗｉｄｅ  ａｒｅａ  ｎｅｔｗｏｒｋ）、遠隔通信ネットワーク（ｔｅｌｅｃｏｍｍｕｎｉｃａｔｉｏｎ  ｎｅｔｗｏｒｋ）、セルラネットワーク（ｃｅｌｌｕｌａｒ  ｎｅｔｗｏｒｋ）および衛星ネットワーク（ｓａｔｅｌｌｉｔｅ  ｎｅｔｗｏｒｋ）などを支援してもよい。通信ユニット７０２は更に、端末７００が別のデバイス（例えば、コンピュータ）に結合されること、および、当該別のデバイスと有線または無線で通信することを可能にする回路を含んでよい。
【手続補正１１】
【補正対象書類名】明細書
【補正対象項目名】０１０９
【補正方法】変更
【補正の内容】
【０１０９】
プロセッサ７０１は更に、移動体事業者サーバにマルチＩＭＳＩシングルＭＳＩＳＤＮ（ｍｕｌｔｉｐｌｅ  ＩＭＳＩ  ｎｕｍｂｅｒｓ  ｗｉｔｈ  ａ  ｓｉｎｇｌｅ  ＭＳＩＳＤＮ）サービス起動要求を送信するように構成される。ここで、マルチＩＭＳＩシングルＭＳＩＳＤＮサービス起動要求は、一次デバイスの識別子および二次デバイスの識別子を保持し、一次デバイスの識別子は、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、移動局国際ＩＳＤＮ番号ＭＳＩＳＤＮおよび国際移動体加入者識別ＩＭＳＩのうちの何れか１つを含み、二次デバイスの識別子は、ＥＩＤ、ＭＳＩＳＤＮおよびＩＭＳＩのうちの何れか１つを含む。
【手続補正１２】
【補正対象書類名】明細書
【補正対象項目名】０１１６
【補正方法】変更
【補正の内容】
【０１１６】
通信ユニット８０２は、Ｗｉ−Ｆｉ（ｗｉｒｅｌｅｓｓ  ｆｉｄｅｌｉｔｙ、ワイヤレスフィデリティ）、ブルートゥース（ＢＴ：Ｂｌｕｅｔｏｏｔｈ（登録商標））および近距離無線通信（ＮＦＣ：ｎｅａｒ  ｆｉｅｌｄ  ｃｏｍｍｕｎｉｃａｔｉｏｎ）などの短距離通信プロトコルを支援してもよいし、インターネット（Ｉｎｔｅｒｎｅｔ）、ローカルエリアネットワーク（ＬＡＮ：ｌｏｃａｌ  ａｒｅａ  ｎｅｔｗｏｒｋ）、ワイドエリアネットワーク（ＷＡＮ：ｗｉｄｅ  ａｒｅａ  ｎｅｔｗｏｒｋ）、遠隔通信ネットワーク（ｔｅｌｅｃｏｍｍｕｎｉｃａｔｉｏｎ  ｎｅｔｗｏｒｋ）、セルラネットワーク（ｃｅｌｌｕｌａｒ  ｎｅｔｗｏｒｋ）および衛星ネットワーク（ｓａｔｅｌｌｉｔｅ  ｎｅｔｗｏｒｋ）などを支援してもよい。通信ユニット８０２は更に、デバイス８００が別のデバイス（例えば、コンピュータ）に結合されること、および、当該別のデバイスと有線または無線で通信することを可能にする回路を含んでよい。
【手続補正１３】
【補正対象書類名】明細書
【補正対象項目名】０１２１
【補正方法】変更
【補正の内容】
【０１２１】
図９を参照すると、段階９１０において、第１デバイスが第２デバイスとのペアリング処理を実行する。ペアリング処理にはブルートゥース技術またはＷｉ−Ｆｉ技術を使用してよいが、これに限定されるわけではない。第１デバイスが第２デバイスとのペアリング処理を実行するとき、第２デバイスは、第１デバイスに第２デバイスのＥＩＤを転送してよい。段階９２０において、第１デバイスは、ＭＮＯサーバに第２デバイスのＥＩＤを送信し、次に、ＭＮＯサーバは、プロファイル管理サーバに第２デバイスのＥＩＤを送信する。段階９３０において、第１デバイスは、プロファイル管理サーバからダウンロード情報を受信する。段階９４０において、プロファイルダウンロード情報は、第２デバイスに送信される。その後、プロファイルダウンロード情報に従って、第２デバイスは、プロファイル管理サーバからプロファイルをダウンロードしてよく、ｅＵＩＣＣに当該プロファイルをインストールしてよい。
【手続補正１４】
【補正対象書類名】明細書
【補正対象項目名】０１２７
【補正方法】変更
【補正の内容】
【０１２７】
図１１を参照すると、段階１１０１から段階１１０３は、図４の段階４０１から段階４０３と同様であり、本明細書では詳細について説明しない。段階１１０４において、第１デバイス１０１は、ＭＮＯ１０３にマルチＩＭＳＩシングルＭＳＩＳＤＮサービスを申し込んでよく、第１デバイス１０１は、第１デバイスの識別子（例えば、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、ＭＳＩＳＤＮおよびＩＭＳＩ）および第２デバイス１０２の識別子（例えば、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、ＭＳＩＳＤＮおよびＩＭＳＩ）をＭＮＯ１０３に提供する。ＭＮＯ１０３は、第１デバイス１０１の識別子および第２デバイス１０２の識別子に従ってマルチＩＭＳＩシングルＭＳＩＳＤＮサービスを起動する。段階１１０５において、ＭＮＯ１０３は、第１デバイス１０１にマルチＩＭＳＩシングルＭＳＩＳＤＮサービス申し込み結果を通知する。段階１１０６において、第１デバイス１０１は、第２デバイス１０２にマルチＩＭＳＩシングルＭＳＩＳＤＮサービス申し込み結果を通知する。
【手続補正１５】
【補正対象書類名】明細書
【補正対象項目名】０１３０
【補正方法】変更
【補正の内容】
【０１３０】
図１２Ａおよび図１２Ｂを参照すると、段階１２１０から段階１２４０は、図６Ａ、図６Ｂおよび図６Ｃの段階６０１０から段階６０４０と同様であり、本明細書では詳細について説明しない。段階１２１０では、第１デバイス１０１の識別子および第２デバイス１０２の識別子が保持される。第２デバイス１０２は、ＵＩＣＣデバイスである。従って、本明細書における第１デバイスの識別子は、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、ＭＳＩＳＤＮおよびＩＭＳＩのうちの何れか１つを含む。第２デバイス１０２の識別子は、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、ＭＳＩＳＤＮおよびＩＭＳＩのうちの何れか１つを含む。
【手続補正１６】
【補正対象書類名】明細書
【補正対象項目名】０１３４
【補正方法】変更
【補正の内容】
【０１３４】
図１３において、段階１３０１から段階１３０３は、図４の段階４０１から段階４０３と同じである。段階１３０４では、第１デバイス１０１が、ＭＮＯ１０３にマルチＩＭＳＩシングルＭＳＩＳＤＮサービスのバインド解除処理、すなわち、第１デバイス１０１と第２デバイス１０２との間のマルチＩＭＳＩシングルＭＳＩＳＤＮサービスのバインド関係のバインド解除を申し込んでよい。第１デバイス１０１は、第１デバイスの識別子（例えば、集積回路カード識別子（Ｉｎｔｅｇｒａｔｅｄ  Ｃｉｒｃｕｉｔ  Ｃａｒｄ  Ｉｄｅｎｔｉｆｉｅｒ、ＩＣＣＩＤ）、ＭＳＩＳＤＮおよびＩＭＳＩ）および第２デバイス１０２の識別子（例えば、ＥＩＤ、ＭＳＩＳＤＮおよびＩＭＳＩ）をＭＮＯ１０３に提供する。ＭＮＯ１０３は、第１デバイス１０１の識別子および第２デバイス１０２の識別子に従って、第１デバイス１０１と第２デバイス１０２との間のマルチＩＭＳＩシングルＭＳＩＳＤＮサービスのバインド関係をバインド解除する。段階１３０５において、ＭＮＯ１０３は、第１デバイス１０１にマルチＩＭＳＩシングルＭＳＩＳＤＮサービスのバインド解除処理結果を通知する。段階１３０６において、第１デバイス１０１は、第２デバイス１０２にマルチＩＭＳＩシングルＭＳＩＳＤＮサービスのバインド解除処理結果を通知する。オプションとして、段階１３０７において、第２デバイス１０２は、プロファイル管理サーバにプロファイル除去要求を送信する。段階１３０８において、第２デバイス１０２は、プロファイル管理サーバからプロファイル除去結果を受信する。第２デバイス１０２は、ｅＵＩＣＣに記憶されているプロファイルを削除してよい。
【手続補正１７】
【補正対象書類名】明細書
【補正対象項目名】０１５２
【補正方法】変更
【補正の内容】
【０１５２】
第２デバイス１０２は、古い第１デバイス１０１と交換するためにユーザが新たに購入するデバイスであり、ユーザは、デバイスの交換後も元の電話番号を使用することを望む。ユーザにより入力されるｅＵＩＣＣサービスアップグレード要求を受信した後、第２デバイス１０２は、プロファイルをダウンロードし、プロファイル起動を完了し、新しいカード（例えば、第２デバイス１０２のｅＵＩＣＣ）は有効になり、古いカード（例えば、第１デバイス１０１のＵＩＣＣ）は無効になる。これは、事業者の既存サービスにおける４Ｇカード交換サービスと同様である（すなわち、ユーザは古いＳＩＭカードを処分し、新しいＳＩＭカードを使用する）。しかしながら、本明細書における第２デバイス１０２には、端末に埋め込まれ、かつ、取り外し不可能である、埋め込みＵＩＣＣ（ｅＵＩＣＣ）を使用している。従って手順が異なる。
【手続補正１８】
【補正対象書類名】明細書
【補正対象項目名】０１６６
【補正方法】変更
【補正の内容】
【０１６６】
第５デバイスは、ＭＮＯ１０３のネットワークに既にアクセスしている。例えば、第５デバイスのｅＵＩＣＣは、プロファイルをダウンロードし、ＭＮＯ１０３の通信サービスを起動している。ユーザは、第５デバイスを使用してＭＮＯ１０３のネットワークおよびアプリケーションサービスを使用してよい。  第４デバイスは、古い第５デバイスと交換するためにユーザが新たに購入するデバイスであり、ユーザは、デバイスの交換後も元の電話番号を使用することを望む。ユーザにより入力されるｅＵＩＣＣサービス移行要求を受信した後、第４デバイスは、プロファイルをダウンロードしてプロファイル起動を完了し、第４デバイスのｅＵＩＣＣは、プロファイルダウンロードを完了して有効になり、第５デバイスのｅＵＩＣＣのプロファイルは無効になる。これは、事業者の既存サービスにおける４Ｇカード交換サービスと同様である（すなわち、ユーザは古いＳＩＭカードを処分し、新しいＳＩＭカードを使用する）。しかしながら、本明細書における第４デバイスおよび第５デバイスの両方が、端末に埋め込まれ、かつ、取り外し不可能である、埋め込みＵＩＣＣ（ｅＵＩＣＣ）を使用している。従って手順が異なる。
（項目１）
汎用集積回路カードＵＩＣＣを有する一次デバイスに適用されるプロファイルダウンロードの方法であって、上記方法は、
二次デバイスの埋め込み集積回路カード識別子（ＥＩＤ）を取得する段階であって、上記ＥＩＤは、上記一次デバイスが移動体事業者サーバから上記ＥＩＤと一致するプロファイルダウンロード情報を取得するために使用される、取得する段階と、
上記移動体事業者サーバから上記プロファイルダウンロード情報を受信する段階と、
上記二次デバイスに上記プロファイルダウンロード情報を送信する段階であって、上記プロファイルダウンロード情報は、上記二次デバイスがプロファイル管理サーバからプロファイルをダウンロードするために使用され、上記プロファイルは、上記ダウンロードの完了後に上記二次デバイスの埋め込みＵＩＣＣ（ｅＵＩＣＣ）にインストールされる、送信する段階と
を備える、方法。
（項目２）
上記移動体事業者サーバにマルチＩＭＳＩシングルＭＳＩＳＤＮ（ｍｕｌｔｉｐｌｅ  ＩＭＳＩ  ｎｕｍｂｅｒｓ  ｗｉｔｈ  ａ  ｓｉｎｇｌｅ  ＭＳＩＳＤＮ）サービス起動要求を送信する段階を更に備え、
上記マルチＩＭＳＩシングルＭＳＩＳＤＮサービス起動要求は、上記一次デバイスの識別子および上記二次デバイスの識別子を保持し、上記一次デバイスの上記識別子は、集積回路カード識別子（Ｉｎｔｅｇｒａｔｅ  Ｃｉｒｃｕｉｔ  Ｃａｒｄ  Ｉｄｅｎｔｉｔｙ、ＩＣＣＩＤ）、移動局国際ＩＳＤＮ番号ＭＳＩＳＤＮおよび国際移動体加入者識別ＩＭＳＩのうちの何れか１つを含み、上記二次デバイスの上記識別子は、上記ＥＩＤ、ＭＳＩＳＤＮおよびＩＭＳＩのうちの何れか１つを含む、項目１に記載の方法。
（項目３）
上記ＥＩＤは、上記一次デバイスと上記二次デバイスとの間のブルートゥース接続またはＷｉ−Ｆｉ接続を使用して上記一次デバイスにより取得される、項目１または２に記載の方法。
（項目４）
移動体通信事業者に対して上記一次デバイスを認証する段階を更に備える、項目１から３の何れか一項に記載の方法。
（項目５）
認証方式が、拡張認証プロトコル・加入者識別モジュール／認証と鍵合意ＥＡＰ−ＳＩＭ／ＡＫＡ認証またはＳＭＳ検証コード認証であってよい、項目４に記載の方法。
（項目６）
上記二次デバイスとのペアリング処理を実行する段階と、
上記二次デバイスのために上記移動体事業者サーバにプロファイルダウンロード要求を送信する段階であって、上記プロファイルダウンロード要求は、上記ＥＩＤを保持する、送信する段階と
を更に備える、項目１に記載の方法。
（項目７）
通信ユニットと、
汎用集積回路カードＵＩＣＣと、
プロセッサと
を備える端末であって、上記プロセッサは、
二次デバイスの埋め込み集積回路カード識別子（ＥＩＤ）を取得することであって、上記ＥＩＤは、一次デバイスが移動体事業者サーバから上記ＥＩＤと一致するプロファイルダウンロード情報を取得するために使用される、取得することと、
上記移動体事業者サーバから上記プロファイルダウンロード情報を受信することと、
上記二次デバイスに上記プロファイルダウンロード情報を送信するように上記通信ユニットを制御することであって、上記プロファイルダウンロード情報は、上記二次デバイスがプロファイル管理サーバからプロファイルをダウンロードするために使用され、上記プロファイルは、上記ダウンロードの完了後に上記二次デバイスの埋め込みＵＩＣＣ（ｅＵＩＣＣ）にインストールされる、制御することと
を行うように構成される、端末。
（項目８）
上記プロセッサは更に、上記移動体事業者サーバにマルチＩＭＳＩシングルＭＳＩＳＤＮ（ｍｕｌｔｉｐｌｅ  ＩＭＳＩ  ｎｕｍｂｅｒｓ  ｗｉｔｈ  ａ  ｓｉｎｇｌｅ  ＭＳＩＳＤＮ）サービス起動要求を送信するように構成され、
上記マルチＩＭＳＩシングルＭＳＩＳＤＮサービス起動要求は、上記一次デバイスの識別子および上記二次デバイスの識別子を保持し、上記一次デバイスの上記識別子は、集積回路カード識別（Ｉｎｔｅｇｒａｔｅ  Ｃｉｒｃｕｉｔ  Ｃａｒｄ  Ｉｄｅｎｔｉｔｙ、ＩＣＣＩＤ）、移動局国際ＩＳＤＮ番号ＭＳＩＳＤＮおよび国際移動体加入者識別ＩＭＳＩのうちの何れか１つを含み、上記二次デバイスの上記識別子は、上記ＥＩＤ、ＭＳＩＳＤＮおよびＩＭＳＩのうちの何れか１つを含む、項目７に記載の端末。
（項目９）
上記ＥＩＤは、上記端末と上記二次デバイスとの間のブルートゥース接続またはＷｉ−Ｆｉ接続を使用して上記端末により取得される、項目７または８に記載の端末。
（項目１０）
上記プロセッサは更に、移動体通信事業者に対して上記端末を認証するように構成される、項目７から９の何れか一項に記載の端末。
（項目１１）
認証方式が、拡張認証プロトコル・加入者識別モジュール／認証と鍵合意ＥＡＰ−ＳＩＭ／ＡＫＡ認証またはＳＭＳ検証コード認証であってよい、項目１０に記載の端末。
（項目１２）
上記プロセッサは更に、
上記二次デバイスとのペアリング処理を実行することと、
上記二次デバイスのために上記移動体事業者サーバにプロファイルダウンロード要求を送信することであって、上記プロファイルダウンロード要求は、上記ＥＩＤを保持する、送信することと
を行うように構成される、項目７に記載の端末。
（項目１３）
汎用集積回路カードＵＩＣＣおよび埋め込みＵＩＣＣ（ｅＵＩＣＣ）を有する電子デバイスに適用されるプロファイルダウンロードの方法であって、
上記ＵＩＣＣに基づいて移動体事業者ネットワークに対して上記電子デバイスを認証する段階と、
上記移動体事業者ネットワークから認証完了情報を受信する段階と、
上記認証完了情報に基づいて上記移動体事業者ネットワークに上記ｅＵＩＣＣの埋め込み集積回路カード識別子（ＥＩＤ）を送信する段階であって、上記ＥＩＤは、上記電子デバイスが上記移動体事業者ネットワークのサーバから上記ＥＩＤと一致するプロファイルダウンロード情報を取得するために使用される、送信する段階と、
上記移動体事業者ネットワークの上記サーバから上記プロファイルダウンロード情報を受信する段階と、
上記プロファイルダウンロード情報に従ってプロファイル管理サーバからプロファイルをダウンロードする段階であって、上記プロファイルは、上記ダウンロードの完了後に上記電子デバイスの上記ｅＵＩＣＣにインストールされる、ダウンロードする段階と
を備える方法。
（項目１４）
認証方式が、拡張認証プロトコル・加入者識別モジュール／認証と鍵合意ＥＡＰ−ＳＩＭ／ＡＫＡ認証またはＳＭＳ検証コード認証であってよい、項目１３に記載の方法。
（項目１５）
通信ユニットと、
汎用集積回路カードＵＩＣＣと、
埋め込みＵＩＣＣ（ｅＵＩＣＣ）と、
プロセッサと
を備える端末であって、上記プロセッサは、
上記ＵＩＣＣに基づいて移動体事業者ネットワークに対して上記電子デバイスを認証することと、
上記移動体事業者ネットワークから認証完了情報を取得することと、
上記認証完了情報に基づいて、上記移動体事業者ネットワークに上記ｅＵＩＣＣの埋め込み集積回路カード識別子（ＥＩＤ）を送信するように上記通信ユニットを制御することであって、上記ＥＩＤは、上記電子デバイスが上記移動体事業者ネットワークのサーバから上記ＥＩＤと一致するプロファイルダウンロード情報を取得するために使用される、制御することと、
上記移動体事業者ネットワークの上記サーバから上記プロファイルダウンロード情報を取得することと、
上記プロファイルダウンロード情報に従ってプロファイル管理サーバからプロファイルをダウンロードすることであって、上記プロファイルは、上記ダウンロードの完了後に上記電子デバイスの上記ｅＵＩＣＣにインストールされる、ダウンロードすることと
を行うように構成される、端末。
（項目１６）
認証方式が、拡張認証プロトコル・加入者識別モジュール／認証と鍵合意ＥＡＰ−ＳＩＭ／ＡＫＡ認証またはＳＭＳ検証コード認証であってよい、項目１５に記載の端末。
【国際調査報告】
2019532593.tif 000023
2019532593.tif 000024
2019532593.tif 000025
2019532593.tif 000026